(57)【要約】      （修正有）【課題】遊技者に与える演出の間延びによる違和感を抑制できる遊技機を提供する。【解決手段】第二始動口に遊技球が入賞すると、第二乱数が取得される。始動条件が成立した場合に、第二乱数に基づいて第二大当たり判定が行われる。第二大当たり判定の結果を報知する報知演出が実行される。取得された第二乱数は、大当たり判定がまだ行われていない第二保留乱数として記憶される。特定条件が成立した場合に、４回の報知演出に亘って連続して保留連背景が表示される。保留連背景が表示されている場合、報知演出が終了する毎に第二保留乱数の数である第二保留球数が「０」であるか否かが判断される。第二保留球数が「０」であれば、保留連背景の表示が終了する。【選択図】図２０
2019000434.tif 000002
【特許請求の範囲】
【請求項１】
所定の始動領域を遊技球が通過することを契機として、所定情報を取得する取得手段と、
始動条件が成立した場合に、前記取得手段によって取得された前記所定情報に基づいて、当たりか否かを判定する判定手段と、
前記判定手段による判定の結果を報知する報知演出を実行する第一演出制御手段と、
前記取得手段によって取得された前記所定情報を、前記判定手段によってまだ判定されていない保留情報として記憶する記憶手段と、
特定条件が成立した場合に、所定回数の前記報知演出が前記第一演出制御手段によって実行される間に亘って連続して行われる演出である連続演出を実行する第二演出制御手段と、
前記第二演出制御手段による前記連続演出の実行中において、前記第一演出制御手段によって前記報知演出が実行される毎に前記記憶手段に前記保留情報が記憶されているか否かを判断する第一判断手段と、
前記記憶手段に前記保留情報が記憶されていないと前記第一判断手段によって判断された場合、前記第二演出制御手段によって実行されている前記連続演出を終了する演出終了手段を備えたことを特徴とする遊技機。
【請求項２】
前記特定条件が成立した場合に、前記記憶手段に前記保留情報が記憶されているか否かを判断する第二判断手段と、
前記記憶手段に前記保留情報が記憶されていないと前記第二判断手段によって判断された場合、前記第二演出制御手段による前記連続演出の実行を禁止する禁止手段とを備えたことを特徴とする請求項１に記載の遊技機。
【発明の詳細な説明】
【技術分野】
【０００１】
本発明は、遊技機に関する。
【背景技術】
【０００２】
従来、大当たり判定の結果を報知する特別図柄の複数回の変動に亘って連続して演出が行われる遊技機が知られている。例えば、特許文献１に記載の遊技機では、保留された権利に基づいて、第二特別図柄の大当たり判定が行われ、大当たり遊技の終了後、第二特別図柄の所定回数の変動に亘って連続して保留連演出が行われる。
【先行技術文献】
【特許文献】
【０００３】
【特許文献１】特開２０１５−１８０４７４号公報
【発明の概要】
【発明が解決しようとする課題】
【０００４】
例えば、大当たり遊技の終了後、第二特別図柄が所定回数変動するまでに、保留された権利の個数が０個になる場合がある。この場合、その後に行われる第二特別図柄の変動にも亘って連続して保留連演出が行われると、保留連演出が間延びして遊技者に違和感を与える可能性がある。
【０００５】
本発明の目的は、遊技者に与える演出の間延びによる違和感を抑制できる遊技機を提供することである。
【課題を解決するための手段】
【０００６】
本発明に係る遊技機は、所定の始動領域を遊技球が通過することを契機として、所定情報を取得する取得手段と、始動条件が成立した場合に、前記取得手段によって取得された前記所定情報に基づいて、当たりか否かを判定する判定手段と、前記判定手段による判定の結果を報知する報知演出を実行する第一演出制御手段と、前記取得手段によって取得された前記所定情報を、前記判定手段によってまだ判定されていない保留情報として記憶する記憶手段と、特定条件が成立した場合に、所定回数の前記報知演出が前記第一演出制御手段によって実行される間に亘って連続して行われる演出である連続演出を実行する第二演出制御手段と、前記第二演出制御手段による前記連続演出の実行中において、前記第一演出制御手段によって前記報知演出が実行される毎に前記記憶手段に前記保留情報が記憶されているか否かを判断する第一判断手段と、前記記憶手段に前記保留情報が記憶されていないと前記第一判断手段によって判断された場合、前記第二演出制御手段によって実行されている前記連続演出を終了する演出終了手段を備える。
【０００７】
本発明に係る遊技機によれば、特定条件の成立後、所定回数の報知演出が実行されるまでの間、記憶手段に記憶されている保留情報の数が０個にならなければ、特定条件の成立後、所定回数の報知演出が実行される間に亘って連続して連続演出が実行される。一方、連続演出の実行中には報知演出の実行毎に記憶手段に保留情報が記憶されている否かが判断され、記憶手段に保留情報が記憶されていないと、実行中の連続演出が終了される。すなわち、次の報知演出を実行するための保留情報がない場合には、連続演出が終了される。これにより、その後に実行される報知演出に亘って連続して連続演出が行われることが抑制され、連続演出が間延びすることが抑制される。従って、本発明に係る遊技機は、遊技者に与える連続演出の間延びによる違和感を抑制できる。
【０００８】
本発明に係る遊技機は、前記特定条件が成立した場合に、前記記憶手段に前記保留情報が記憶されているか否かを判断する第二判断手段と、前記記憶手段に前記保留情報が記憶されていないと前記第二判断手段によって判断された場合、前記第二演出制御手段による前記連続演出の実行を禁止する禁止手段とを備えてもよい。この場合、本発明に係る遊技機は、特定条件の成立時に記憶手段に保留情報が記憶されていなければ、連続演出を実行しない。仮に、特定条件の成立時に記憶手段に保留情報が記憶されていない場合、連続演出が実行された後に演出終了手段によって終了されるとなると、遊技機は、例えば連続演出が開始後すぐに終了してしまうことによる違和感を遊技者に与える可能性がある。本発明に係る遊技機は、特定条件の成立時に記憶手段に保留情報が記憶されていない場合、連続演出を実行しないので、特定条件の成立時に記憶手段に保留情報が記憶されていない場合における連続演出による違和感を抑制できる。
【図面の簡単な説明】
【０００９】
【図１】パチンコ機１の正面図である。
【図２】遊技盤２の正面図である。
【図３】パチンコ機１の電気的構成を示すブロック図である。
【図４】ＲＡＭ５２の大当たり情報記憶エリアを示す概念図である。
【図５】ＲＯＭ５３に記憶されている特別図柄決定テーブルの概念図である。
【図６】ＲＯＭ５３に記憶されている通常変動パターンテーブルの概念図である。
【図７】ＲＯＭ５３に記憶されている特殊変動パターンテーブルの概念図である。
【図８】第一実施形態における特殊図柄変動と保留連背景の表示について説明するための図である。
【図９】主制御基板４１において行われるメイン処理のフローチャートである。
【図１０】メイン処理の中において行われる特別図柄処理のフローチャートである。
【図１１】メイン処理の中において行われる特別図柄処理のフローチャートである。
【図１２】メイン処理の中において行われる特別図柄処理のフローチャートである。
【図１３】特別図柄処理の中において行われる大当たり判定処理のフローチャートである。
【図１４】特別図柄処理の中において行われる変動パターン決定処理のフローチャートである。
【図１５】特別図柄処理の中において行われる遊技状態移行処理のフローチャートである。
【図１６】メイン処理の中において行われる特別電動役物処理のフローチャートである。
【図１７】サブ制御基板５８において行われるサブ制御基板処理のフローチャートである。
【図１８】第一実施形態のサブ制御基板処理の中において行われる第一背景処理のフローチャートである。
【図１９】第一実施形態のサブ制御基板処理の中において行われる第二背景処理のフローチャートである。
【図２０】第二実施形態における特殊図柄変動と保留連背景の表示について説明するための図である。
【図２１】第二実施形態のサブ制御基板処理の中において行われる第一背景処理のフローチャートである。
【図２２】第二実施形態のサブ制御基板処理の中において行われる第二背景処理のフローチャートである。
【発明を実施するための形態】
【００１０】
以下、本発明に係る遊技機の第一実施形態であるパチンコ機１について、図面を参照して説明する。以下の説明では、図１の手前側、奥側、上側、下側、左側、および右側を、それぞれ、パチンコ機１の前側、後側、上側、下側、左側、および右側とする。
【００１１】
まず、図１および図２を参照して、パチンコ機１の機械的構成について説明する。図１に示すように、パチンコ機１の上半分の部分には遊技盤２が設けられている。遊技盤２は正面視略正方形の板状であり（図２参照）、透明なガラス板を保持した前面枠１３によって前面を保護されている。遊技盤２の下部には上皿５が設けられている。上皿５は、遊技球発射装置３７（図３参照）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置３７によって遊技球が発射される。前面枠１３の上部の左右の角には、スピーカ４８がそれぞれ設けられている。
【００１２】
図２に示すように、遊技盤２の前面には、ガイドレール３で囲まれた略円形の遊技領域４が形成されている。遊技球発射装置３７（図３参照）によって発射された遊技球は、ガイドレール３によって遊技領域４へ導かれ、遊技領域４内を流下する。遊技領域４は、発射ハンドル７の発射強度に応じて、遊技球が流下する度合いを互いに異にする第一遊技領域４Ｌと第二遊技領域４Ｒとを備えている。第一遊技領域４Ｌは、パチンコ機１に正対した遊技者から見て遊技領域４の左側に位置し、第二遊技領域４Ｒは、遊技者から見て遊技領域４の右側に位置している。ガイドレール３は遊技領域４の左側に形成されている。発射ハンドル７によって所定の強度以上の発射強度で発射された遊技球は第二遊技領域４Ｒを流下し（例えば図２の矢印１１参照）、所定の強度未満の発射強度で発射された遊技球は第一遊技領域４Ｌを流下する（例えば図２の矢印１０参照）。以下、矢印１０に示すように遊技球を発射することを「左打ち」と、矢印１１に示すように遊技球を発射することを「右打ち」という。
【００１３】
遊技領域４の略中央には、各種演出を実行する演出装置８が設けられている。演出装置８は、ＬＣＤからなる表示画面２８を中央に備える。表示画面２８は様々な映像を表示するが、特に大当たり判定の結果を遊技者に報知する演出用の図柄である演出図柄を表示する。パチンコ機１は、複数（第一実施形態では３つ）の演出図柄を変動させた後に、大当たり判定の結果を示す演出図柄の組合せを確定表示させる報知演出を実行することで、大当たり判定の結果を遊技者に報知する。
【００１４】
演出装置８において、表示画面２８の上方に可動役物３０が設けられている。可動役物３０は、可動部を動作させることで各種演出を行う。演出装置８の下方には第一始動口１４が設けられており、その下方には大入賞口１６が設けられている。演出装置８の右方には普通図柄作動ゲート１２が設けられており、その下方には第二始動口１５が設けられている。第二始動口１５は、普通電動役物（普通当たり判定の結果に基づき入賞口の入り口の大きさを変化させる役物）としての開閉部材を備え、開閉部材が開放された場合にのみ第二始動口１５の入り口が開放され、遊技球は第二始動口１５に入賞できる。なお、第二始動口１５は、開閉部材が閉鎖された閉鎖状態にも遊技球の入賞が可能であって、開閉部材が開放されることで閉鎖状態よりも遊技球が入賞容易となる構成であってもよいし、開閉部材を備えなくてもよい。大入賞口１６も開閉部材を備え、開閉部材が開放された場合にのみ、遊技球は大入賞口１６に入賞できる。各開閉部材はソレノイドによって電気的に開閉される。さらに遊技盤２には、上記以外に各種の電飾ランプ、入賞口、風車、および遊技くぎ等が設けられている。
【００１５】
第一実施形態では、普通図柄作動ゲート１２を通過する遊技球および第二始動口１５に入賞する遊技球は、右打ちによって第二遊技領域４Ｒを流下した遊技球が大半であり、左打ちによって第一遊技領域４Ｌを流下した遊技球が、普通図柄作動ゲート１２を通過すること、または第二始動口１５に入賞することは困難である。第一始動口１４および大入賞口１６は、左打ちによって第一遊技領域４Ｌを流下した遊技球と右打ちによって第二遊技領域４Ｒを流下した遊技球のいずれもが入賞可能に配置されている。このうち第一始動口１４については、入賞口および遊技くぎ等の配置により、左打ちによって第一遊技領域４Ｌを流下した遊技球の方が、右打ちによって第二遊技領域４Ｒを流下した遊技球よりも入賞しやすい配置となっている。また、大入賞口１６については、入賞口および遊技くぎ等の配置により、右打ちによって第二遊技領域４Ｒを流下した遊技球の方が、左打ちによって第一遊技領域４Ｌを流下した遊技球よりも入賞しやすい配置となっている。
【００１６】
遊技盤２の右下部には、大当たり判定の結果および保留球数等を表示する図柄表示部２４が設けられている。図柄表示部２４は、第一特別図柄表示部、第二特別図柄表示部、普通図柄表示部、第一特別図柄記憶数表示ＬＥＤ、第二特別図柄記憶数表示ＬＥＤおよび普通図柄記憶数表示ＬＥＤを備える。第一特別図柄表示部および第二特別図柄表示部は、それぞれ１つの７セグメントＬＥＤからなり、第一大当たり判定および第二大当たり判定の結果を示す第一特別図柄および第二特別図柄を表示する。第一特別図柄表示部では、第一特別図柄を変動表示させる第一図柄変動が実行された後に、第一大当たり判定の結果に対応する第一特別図柄が確定表示される。第二特別図柄表示部では、第二特別図柄を変動表示させる第二図柄変動が実行された後に、第二大当たり判定の結果に対応する第二特別図柄が確定表示される。以下、第一大当たり判定および第二大当たり判定を総称する場合、またはいずれかを特定しない場合、「大当たり判定」ともいう。第一図柄変動および第二図柄変動を総称する場合、またはいずれかを特定しない場合、「図柄変動」という。普通図柄表示部は、ＬＥＤの点灯および消灯によって普通当たり判定の結果を表示する。第一特別図柄記憶数表示ＬＥＤおよび第二特別図柄記憶数表示ＬＥＤは、大当たり判定がまだ行われていない遊技球の個数（所謂「特別図柄保留球数」）を表示する。普通図柄記憶数表示ＬＥＤは、普通当たり判定がまだ行われていない遊技球の個数（所謂「普通図柄保留球数」）を表示する。
【００１７】
次に、パチンコ機１における遊技の流れについて概略的に説明する。パチンコ機１には、大当たり遊技、および普通当たり遊技が設けられている。パチンコ機１では、大当たり判定において「大当たり」と判定されると、大当たり遊技が行われる。パチンコ機１は、１回の大当たり遊技中に、所定条件を満たすまで大入賞口１６へ遊技球が入賞可能な状態が維持されるラウンドを、予め定められた回数だけ繰り返す。従って、大当たり遊技中においては、右打ちによって遊技を進行することが、左打ちによって遊技を進行するよりも遊技者にとって有利となる。所定条件とは、例えば、大入賞口１６が開放されてから規定数の遊技球が入賞するか、または大入賞口１６が開放されてから規定時間が経過することである。パチンコ機１は、大当たり判定において「大当たり」と判定される大当たり確率が約１／１００である非確率変動状態（以下、「非確変状態」という。）と、非確変状態よりも高い約１／３５である確率変動状態（以下、「確変状態」という。）とを、大当たり遊技の終了後に生起させることができる。また、第二始動口１５の開閉部材が開放される割合が通常の割合である非時短状態と、非時短状態よりも第二始動口１５の開閉部材が開放される割合が高くなる時短状態とを、大当たり遊技の終了後に生起させることができる。パチンコ機１は、これらの組合せにより、「非確率変動非時短状態」（以下、「通常状態」という。）、「確率変動時短状態」（以下、「確変時短状態」という。）、「確率変動非時短状態」（以下、「確変非時短状態」という。）、および「非確率変動時短状態」（以下、「非確変時短状態」という。）の４種類の遊技状態を生起する。ただし、この実施形態に限られず、パチンコ機１は、５種類以上の遊技状態を生起してもよい。また、パチンコ機１は、３種類以下の遊技状態を生起するものであってもよい。
【００１８】
パチンコ機１では、大当たり判定によって「大当たり」と判定された場合は、１００％の確率にて大当たり遊技の終了後に確変状態が生起される。第一実施形態のパチンコ機１では、確変状態において、特別図柄が変動する際に確変状態から非確変状態へ転落するか否かを決定するための転落抽選が行われる。以下、転落抽選において確変状態から非確変状態へ転落すると判定されることを、「転落抽選に当選する」という。パチンコ機１において、転落抽選に当選する確率（確変状態から非確変状態に転落する確率）は、約１／２００である。パチンコ機１の確変状態は、転落抽選に当選するまで継続する。
【００１９】
ここで、転落抽選は、大当たり判定における大当たりか否かの判定結果に係わらず、確変状態から非確変状態に転落させるか否かを決定するための抽選である。転落抽選は、大当たりか否かを決定するための大当たり乱数とは別に、転落させるか否かを決定するための転落乱数を用いて行われる。また、転落抽選は、パチンコ機１が確変状態である場合、第一始動口１４および第二始動口１５のいずれに遊技球が入賞した場合にも、大当たり判定に先だって、特別図柄の変動開始時に行われる。転落抽選に当選した場合、当該特別図柄の変動において、非確変状態で大当たり判定が行われる。一方、転落抽選に当選しなかった場合、当該特別図柄の変動において、確変状態で大当たり判定が行われる。すなわち、確変状態では、特別図柄の変動のたびに、転落抽選と大当たり判定とが行われる。非確変状態では、転落抽選は行われない。
【００２０】
なお、確変状態の生起および終了の条件は、上記の例に限られない。パチンコ機１は、転落抽選を行う遊技機に限られず、大当たり遊技の終了後に確変状態を生起し、次に大当たりと判定された場合に確変状態を終了させる、所謂ループタイプの遊技機によっても、本発明は実現できる。また、パチンコ機１は、大当たり遊技の終了後に確変状態を生起し、その後に行われた第一大当たり判定および第二大当たり判定によって連続してはずれと判定された回数（以下、「判定回数」という。）が所定の回数に達することで確変状態が終了する、所謂回数切り確変機能を有する遊技機であってもよい。また、パチンコ機１において、大入賞口１６の内部に特定領域を設け、大当たり遊技中に遊技球が特定領域を通過することを契機として、大当たり遊技の終了後に確変状態が生起されてもよい。
【００２１】
また、パチンコ機１では、判定回数が規定回数（以下、「時短回数」という。）に達するまで時短状態が継続する場合がある。パチンコ機１では、非時短状態において、大当たり判定によって「大当たり」と判定された場合は、大当たり遊技の終了後に１％の確率で時短状態が生起され、９９％の確率で時短状態が生起されない。また、時短状態において、大当り判定によって「大当たり」と判定された場合は、１００％の確率で時短状態が生起される。第一実施形態の時短回数は８３回である。第一実施形態では、判定回数が時短回数に達するまでの間に転落抽選に当選して確変状態から非確変状態へ転落しても、時短回数に達するまで時短状態は継続する。なお、時短回数は、パチンコ機１の８３回に限られないし、転落抽選に当選した場合に時短状態が終了してもよい。例えば、パチンコ機１は、次回の大当たり遊技の実行開始まで時短状態を生起してもよい。パチンコ機１は、大当たりと判定された際に決定される特別図柄と、大当たり判定時に生起されている遊技状態とに応じて、大当たり遊技の終了後に時短状態を生起するか否か決定してもよいし、時短状態を生起する場合の時短回数を、複数の時短回数の中から決定してもよい。パチンコ機１は、大当たりと判定された際に決定される特別図柄と、大当たり判定の種別とに応じて、大当たり遊技の終了後に時短状態を生起するか否かを決定してもよいし、時短状態を生起する場合の時短回数を、複数の時短回数の中から決定してもよい。
【００２２】
次いで、普通当たり遊技について説明する。遊技球が普通図柄作動ゲート１２を通過することを契機として、普通当たり判定が行われる。時短状態において普通当たりと判定される確率（第一実施形態では９９／１００）は、非時短状態において普通当たりと判定される確率（第一実施形態では１５／１００）よりも高い。また、普通当たり遊技中の第二始動口１５の開閉部材の最大開放時間は、非時短状態（第一実施形態では０．２秒）よりも時短状態（第一実施形態では４．２秒）の方が長い。さらに、普通図柄の変動時間は、非時短状態における変動時間（第一実施形態では１０秒）よりも時短状態における変動時間（第一実施形態では２秒）の方が短い。第二始動口１５の開閉部材は、当たりを示す普通図柄が図柄表示部２４の普通図柄表示部に確定表示された後に開放される。時短状態である「確変時短状態」および「非確変時短状態」では、第二始動口１５の開閉部材が開放される割合が非時短状態よりも高くなる。この結果、時短状態においては、第一始動口１４よりも第二始動口１５に容易に遊技球を入賞させることができる。従って、時短状態中は、右打ちによって遊技を進行することが、左打ちによって遊技を進行するよりも遊技者にとって有利となる。一方、非時短状態である「通常状態」および「確変非時短状態」では、第二始動口１５の開閉部材が開放される割合が時短状態よりも低くなるので、第二始動口１５よりも第一始動口１４に容易に遊技球を入賞させることができる。従って、非時短状態においては、左打ちによって遊技を進行することが、右打ちによって遊技を進行するよりも遊技者にとって有利となる。なお、パチンコ機１は、遊技状態によらず、左打ちによって遊技を進行することが、右打ちによって遊技を進行するよりも遊技者にとって有利である遊技機であってもよい。なお、第一実施形態では、大当たり遊技中に第二始動口１５に４個程度の遊技球が入賞できるように、非時短状態において普通当たりと判定される確率、第二始動口１５の開閉部材の最大開放時間、変動時間が設定され、また、遊技くぎ、各部材の配置がなされている。
【００２３】
図３を参照して、パチンコ機１の電気的構成について説明する。パチンコ機１の制御部４０は、主制御基板４１、サブ制御基板５８、ランプドライバ基板４６、演出制御基板４３、払出制御基板４５、中継基板４７、および電源基板４２を主に備える。
【００２４】
主制御基板４１は、パチンコ機１の主制御を司る。主制御基板４１は、主基板ＣＰＵユニット５０を備える。主基板ＣＰＵユニット５０は、各種の演算処理を行うＣＰＵ５１と、データを一時的に記憶するＲＡＭ５２と、制御プログラム等を記憶したＲＯＭ５３とを備える。主基板ＣＰＵユニット５０は、割込信号発生回路５７と電気的に接続する。主制御基板４１は、割込信号発生回路５７から割込信号が入力される毎にプログラムを実行する。
【００２５】
主制御基板４１は、Ｉ／Ｏインタフェイス５４を介して、サブ制御基板５８、払出制御基板４５、中継基板４７、出力ポート５５、第一始動口スイッチ７２、および第二始動口スイッチ７３と電気的に接続する。出力ポート５５は、図示しない遊技場管理用コンピュータにパチンコ機１の各種情報を出力する。第一始動口スイッチ７２は、第一始動口１４に入賞した遊技球を検出する。第二始動口スイッチ７３は、第二始動口１５に入賞した遊技球を検出する。
【００２６】
サブ制御基板５８は、主制御基板４１から送信されるコマンドに従って、演出等の総合的な制御を行う。サブ制御基板５８は、ＣＰＵ５８１、ＲＡＭ５８２、およびＲＯＭ５８３を備え、ランプドライバ基板４６、演出制御基板４３、操作ボタン９、およびスピーカ４８と電気的に接続する。ランプドライバ基板４６は、演出装置８の各種照明の動作および可動役物３０の動作等を制御する。演出制御基板４３は、ＣＰＵ４３１、ＣＧＲＯＭ４３２等を備え、サブ制御基板５８から受信するコマンドに従って表示画面２８の表示を制御する。
【００２７】
払出制御基板４５は、ＣＰＵ４５ａ等を備える。払出制御基板４５は、主制御基板４１から送信されるコマンドに応じて賞球払出装置４９の動作を制御し、遊技球の入賞に応じた所定数の遊技球を賞球として払い出させる。
【００２８】
中継基板４７は、普通電動役物ソレノイド６９、大入賞口ソレノイド７０、普通図柄作動スイッチ７４、大入賞口スイッチ７５および図柄表示部２４と、電気的に接続する。普通電動役物ソレノイド６９は、普通当たり遊技中に第二始動口１５の開閉部材を開閉する。大入賞口ソレノイド７０は、大当たり遊技中に大入賞口１６の開閉部材を開閉する。普通図柄作動スイッチ７４は、普通図柄作動ゲート１２を通過した遊技球を検出する。大入賞口スイッチ７５は、大入賞口１６に入賞した遊技球を検出する。
【００２９】
電源基板４２は、主制御基板４１および遊技球発射装置３７と電気的に接続し、各基板および遊技球発射装置３７に直流の安定化した電力を供給する。遊技球発射装置３７は、一定間隔（第一実施形態では０．６秒）毎に、遊技球を１個ずつ遊技領域４へ向けて発射する。
【００３０】
図４を参照して、ＲＡＭ５２の大当たり情報記憶エリアについて説明する。大当たり情報記憶エリアには、第一大当たり情報記憶エリア、第二大当たり情報記憶エリア、および判定エリアが設けられる。第二大当たり情報記憶エリアの構成は、第一大当たり情報記憶エリアの構成と同様であるため、説明を簡略化する。判定エリアには、大当たり判定時に判定対象の乱数が記憶される。第一実施形態では、第二大当たり判定は第一大当たり判定よりも優先される。第一大当たり情報記憶エリアおよび第二大当たり情報記憶エリアは、後述の特別図柄処理（Ｓ１４、図９参照）において使用される。
【００３１】
第一大当たり情報記憶エリアには、記憶エリア番号欄、第一大当たり乱数欄、第一特別図柄決定乱数欄、第一変動パターン決定乱数欄、転落抽選乱数欄、および第一ポインタ欄が設けられる。遊技球が第一始動口１４に入賞すると、第一大当たり判定に関係し、その時点で計数されている乱数取得カウンタの値がそれぞれ取得される。各値は、取得時に昇順に割り当てられる記憶エリア番号に対応する第一大当たり情報記憶エリアの各欄に記憶される。第一大当たり乱数欄には、第一大当たり判定に用いられる第一大当たり乱数が記憶される。第一特別図柄決定乱数欄には、第一特別図柄の決定に用いられる第一特別図柄決定乱数が記憶される。第一変動パターン決定乱数欄には、第一特別図柄の変動時間を示す第一変動パターンの決定に用いられる第一変動パターン決定乱数が記憶される。転落抽選乱数欄には、転落抽選に用いられる転落抽選乱数が記憶される。第一ポインタ欄には、未だ処理が行われていない乱数が記憶されている記憶エリア番号を指し示す第一ポインタが記憶される。第一ポインタは、乱数の取得順を示す保留１〜４の４つまで記憶可能であり、記憶エリア番号を、その値が小さい順に指し示す。
【００３２】
第一実施形態では、第一始動口１４に入賞した遊技球に対して、大当たり判定を保留して乱数を記憶しておくことのできる数（第一保留球数）の上限数である最大第一保留球数は「４」である。遊技球が第一始動口１４に入賞した時、第一保留球数が「４」未満（０〜３）であれば、第一ポインタ欄に第一ポインタが１つ追加され、記憶エリア番号欄に記憶する記憶エリア番号の値が小さい順に、各欄に乱数が記憶される。ＣＰＵ５１は、所定の始動条件が成立すると、保留１の第一ポインタが示す記憶エリア番号に対応する各欄の乱数を判定エリアに記憶し、第一ポインタを更新して、第一大当たり判定等の各種処理を行う。
【００３３】
ＣＰＵ５１は、大当たり判定等の各種処理を行った場合、判定エリアから乱数を消去する。その後に行われる処理（具体的には、大当たり判定結果を報知する報知演出、大当たり判定結果が大当たりの場合に実行される大当たり遊技）が終了すると、更新後の保留１の第一ポインタが示す記憶エリア番号に対応する各欄の乱数が判定エリアに記憶され、第一大当たり判定等の処理が繰り返される。なお、処理が終了した記憶エリアの乱数は、適宜消去してもよい。
【００３４】
パチンコ機１において、第一特別図柄および第二特別図柄の変動時間は、第一大当たり判定および第二大当たり判定の結果を遊技者に報知する報知演出の演出時間に等しい。サブ制御基板５８は、主制御基板４１で決定された変動パターンに従って報知演出を制御する。具体的には、主制御基板４１は、第一変動パターン決定乱数に基づく第一変動パターンに従って、第一特別図柄の変動を開始する。また、主制御基板４１は、第二変動パターン決定乱数に基づく第二変動パターンに従って、第二特別図柄の変動を開始する。サブ制御基板５８は、第一特別図柄および第二特別図柄のいずれかの変動開始に同期して、演出図柄の変動表示を開始する。主制御基板４１は、変動を開始した第一特別図柄および第二特別図柄のいずれかの変動時間が終了すると、変動させていた第一特別図柄または第二特別図柄を、所定の停止表示時間（第一実施形態では０．６秒）の間、確定表示させる。サブ制御基板５８は、停止表示時間に同期して、演出図柄を確定表示させる。また、サブ制御基板５８は、演出図柄による他、表示画面２８、可動役物３０、スピーカ４８等によっても、変動パターンと同期した報知演出を実行する。
【００３５】
第二大当たり情報記憶エリアには、第一大当たり情報記憶エリアと同様に、複数の記憶エリアが設けられている。第一実施形態では、第二始動口１５に入賞した遊技球に対して、大当たり判定を保留して乱数を記憶しておくことのできる数（第二保留球数）の上限数である最大第二保留球数は「４」である。遊技球が第二始動口１５に入賞した時、第二保留球数が「４」未満（０〜３）であれば、第二ポインタ欄に第二ポインタが１つ追加され、記憶エリア番号欄に記憶する記憶エリア番号の値が小さい順に、各欄に乱数が記憶される。なお、第一実施形態では、遊技球が第二始動口１５に入賞した時に所定の始動条件が成立した場合、第二ポインタ欄に第二ポインタが追加されず、取得した乱数が判定エリアに直接記憶される。
【００３６】
以下の説明では、第一大当たり乱数および第二大当たり乱数を総称する場合、またはいずれかを特定しない場合、「大当たり乱数」ともいう。また、第一変動パターン決定乱数および第二変動パターン決定乱数を総称する場合、またはいずれかを特定しない場合、「変動パターン決定乱数」ともいう。また、第一大当たり乱数と、第一大当たり乱数とともに取得される各種乱数とを総称して、「第一乱数」という。第二大当たり乱数と、第二大当たり乱数とともに取得される各種乱数とを総称して、「第二乱数」という。また、大当たり情報記憶エリアに記憶された状態で大当たり判定が保留されている大当たり乱数、および大当たり判定が保留されている大当たり乱数とともに取得されて大当たり情報記憶エリアに記憶されている各種乱数を総称して「保留乱数」という。保留乱数は、大当たり判定がまだ行われておらず、図柄変動の実行が開始されていない乱数である。保留乱数のうち第一大当たり情報記憶エリアに記憶されている第一保留乱数の数は、第一保留球数に対応する。保留乱数のうち第二大当たり情報記憶エリアに記憶されている第二保留乱数の数は、第二保留球数に対応する。また、第一実施形態の始動条件は、大当たり遊技の実行中でなく、図柄変動の実行中でなく、且つ大当たり情報記憶エリアに保留乱数が記憶されていることである。
【００３７】
また、第二乱数には、特定第二乱数と通常第二乱数との２つの種別がある。特定第二乱数は、特定状態において取得された第二乱数をいう。通常第二乱数は、特定第二乱数以外の第二乱数をいう。すなわち、通常第二乱数は、特定状態とは異なる非特定状態において取得された第二乱数である。特定状態は、第二乱数が第二保留乱数として大当たり情報記憶エリアに記憶された時点で始動条件が成立する状態である。第一実施形態の特定状態は、大当たり遊技中でなく、大当たり情報記憶エリアに保留乱数が記憶されておらず（すなわち、第一保留球数および第二保留球数がいずれも「０」の場合）、且つ図柄変動の実行中でない状態である。非特定状態は、第二乱数が第二保留乱数として大当たり情報記憶エリアに記憶された時点では始動条件は成立しない状態である。第一実施形態の非特定状態は、大当たり遊技中の状態、大当たり情報記憶エリアに保留乱数が記憶されている状態（すなわち、第一保留球数および第二保留球数のいずれかが１以上の場合）、または大当たり情報記憶エリアに保留乱数は記憶されていないが（すなわち、第一保留球数および第二保留球数のいずれも「０」の場合）、図柄変動の実行中である状態である。すなわち、非特定状態において第二乱数（通常第二乱数）が取得されて大当たり記憶エリアに記憶されても、その時点では始動条件が成立しないので、すぐには第二大当たり判定が行われない。一方で、特定状態において第二乱数（特定第二乱数）が取得されて大当たり記憶エリアに記憶された場合、その時点で始動条件が成立するので、直後に第二大当たり判定が行われる。
【００３８】
なお、ＲＡＭ５２には、普通図柄作動ゲート１２への遊技球の入賞時に取得される乱数を記憶するための普通当たり情報記憶エリアが設けられている。普通当たり情報記憶エリアも、大当たり情報記憶エリアと同様に構成されている。
【００３９】
図５を参照して、ＲＯＭ５３に記憶されている特別図柄決定テーブルについて説明する。パチンコ機１は、第一大当たり判定の結果が大当たりであることを示す第一特別図柄と、第二大当たり判定の結果が大当たりであることを示す第二特別図柄とを、特別図柄決定テーブルを参照することで決定する。第一特別図柄および第二特別図柄は、それぞれ複数の大当たり種別のいずれかに分類される。特別図柄決定テーブルは、大当たり判定時に時短状態が生起されているか否かに応じて、複数のテーブルを備えている。各テーブルには複数種類の大当たり種別が割り当てられており、各大当たり種別と特別図柄決定乱数の値（０〜１００）とが対応付けられている。第一実施形態では、大当たり判定の種別が第一大当たり判定および第二大当たり判定のいずれであるかに関わらず、特別図柄決定テーブルが参照されて、特別図柄が決定される。なお、大当たり判定の種別に応じて異なる特別図柄決定テーブルが参照されてもよい。この場合、各特別図柄決定テーブルには、大当たり判定種別に応じて、異なる大当たり種別が割り当てられてもよい。
【００４０】
第一実施形態における大当たり種別は、第一特別図柄および第二特別図柄の双方ともに、特別図柄決定テーブルにおける「大当たり種別」欄に示す「大当たりＡ」、「大当たりＢ」、および「大当たりＣ」の３種類である。「時短／非時短」欄は、大当たり判定時に時短状態が生起されているか否かを示す。「時短回数」欄は、大当たり遊技の終了後に時短状態が生起されるか否か、および生起された時短状態の継続条件を示す。「８３回」は、時短状態が生起され、且つ時短回数が８３回であることを示し、「０回」は、大当たり遊技の終了後に時短状態が生起されないことを示す。「ラウンド数」欄は、１回の大当たり遊技中に繰り返されるラウンド遊技の合計回数を示す。
【００４１】
特別図柄決定テーブルには、複数の大当たり種別に各々対応する特別図柄決定乱数の乱数値が定義されている。大当たり判定によって大当たりと判定されると、特別図柄決定乱数の値に対応する特別図柄が決定される。決定された特別図柄の属する大当たり種別に応じて、ラウンド数が決定される。パチンコ機１では、「大当たりＡ」となる割合は５０％、「大当たりＢ」となる割合は４９％、「大当たりＣ」となる割合は１％である。
【００４２】
また、第一実施形態では、大当たり判定時に時短状態が生起されているか否かに応じて、大当たり種別が同じでも、大当たり遊技の終了後に時短状態が生起されるか否かが異なる。具体的には、大当たり判定時に時短状態が生起されていない場合（すなわち、非時短状態が生起されている場合）、大当たりＡ、Ｂでは、大当たり遊技の終了後に時短状態は生起されず、大当たりＣでは大当たり遊技の終了後に時短状態が生起される。一方、大当たり判定時に時短状態が生起されている場合、大当たりＡ、Ｂ、Ｃのいずれでも、大当たり遊技の終了後に時短状態が生起される。従って、大当たり遊技の終了後に時短状態が生起されるか、および時短状態が生起される場合における時短状態の継続条件は、大当たり種別および大当たり判定時に時短状態が生起されているか否かに応じて、決定される。
【００４３】
以下、大当たり判定時に時短状態が生起されていない場合における大当たりＣおよび大当たり判定時に時短状態が生起されている場合における大当たりＡ、Ｂ、Ｃを総称して「時短付き大当たり」という。大当たり判定時に時短状態が生起されていない場合における大当たりＡ、Ｂを総称して「時短無し大当たり」という。すなわち、時短付き大当たりは、大当たり遊技の終了後に時短状態が生起される大当たりである。時短無し大当たりは、大当たり遊技の終了後に時短状態が生起されない大当たりである。
【００４４】
図６、図７を参照して、ＲＯＭ５３に記憶されている変動パターンテーブルについて説明する。パチンコ機１では、通常変動パターンテーブル（図６参照）および特殊変動パターンテーブル（図７参照）の２つの変動パターンテーブルがＲＯＭ５３に記憶されている。特殊変動パターンテーブルは、特定条件が成立した場合、所定の特殊変動回数の第二図柄変動（以下、「特殊図柄変動」という。）において、大当たり判定の結果を報知する際の変動パターンを決定するために参照される。第一実施形態の特定条件は、時短無し大当たりに基づく大当たり遊技（以下、「時短無し大当たり遊技」という。）の終了である。すなわち、特殊図柄変動とは、時短状態が生起されていない間の第二図柄変動であり、且つ、大当たり遊技の終了後における所定の特殊変動回数の第二図柄変動をいう。特殊変動回数は、最大第二保留球数以下の回数であり、第一実施形態では最大第二保留球数と等しく４回である。通常変動パターンテーブルは、特殊図柄変動以外の図柄変動（以下、「通常図柄変動」という。）において、大当たり判定の結果を報知する際の変動パターンを決定するために参照される。
【００４５】
図６に示すように、通常変動パターンテーブルには、大当たり判定が第一大当たり判定および第二大当り判定のいずれであるか、大当たり判定時の遊技状態（大当たり判定時に時短状態が生起されているか否か）、および大当たり判定の結果（大当たりまたははずれ）に応じて、複数のテーブルが設けられている。各テーブルには複数種類の変動パターンが割り当てられており、各変動パターンと変動パターン決定乱数の値（０〜５１１）とが対応付けられている。
【００４６】
「リーチ演出」とは、例えば３つの演出図柄のうち２つが同じ図柄で停止するリーチ状態が構成された後に、大当たりの可能性があることを示す演出を実行する報知演出である。「非リーチ」は、リーチ状態に至ることなく演出が終了する報知演出であり、第一実施形態では、大当たり判定の結果がはずれの場合にのみ決定される。「非リーチ」の変動パターンは、大当たり判定時の保留球数に応じて異なる変動時間が割り当てられている。具体的には、保留球数が「０」の場合には１２秒、「１」の場合には９秒、「２」の場合には７秒、「３」の場合には４秒と、保留球数が多くなる程、変動時間が短くなるように設定されている。非リーチの変動パターンは最も多くの変動パターン決定乱数が割り当てられている。このため、大当たり判定の結果がはずれである場合には、非リーチの変動パターンが最も決定されやすい。
【００４７】
なお、詳細な説明は省略するが、通常変動パターンテーブルにおいて、第二大当り判定についても、遊技状態等に応じて複数種類の変動パターンが割り当てられており、各変動パターンと変動パターン決定乱数の値とが対応付けられている。大当たり判定が行われると、大当たり判定の種類、遊技状態、判定結果、および大当たり特殊変動であるか否かに応じたテーブルが参照され、通常変動パターンテーブルが参照された場合は、取得された変動パターン決定乱数の値によって変動パターンが１つ決定される。なお、通常変動パターンテーブルにおいて、第一大当たり判定についてのテーブルと第二大当たり判定についてのテーブルとは同一でなくてもよい。
【００４８】
図７に示すように、特殊変動パターンテーブルには、大当たり判定の結果に応じて複数のテーブルが設けられている。特殊変動パターンテーブルにおいて、第二大当たり判定の判定結果が大当たりの場合に参照されるテーブルには、「特殊当たりパターン」の変動パターンが１つのみ割り当てられている。第二大当たり判定の結果がはずれの場合に参照されるテーブルには、「特殊はずれパターンＡ」および「特殊はずれパターンＢ」の２つの変動パターンが割り当てられている。特殊はずれパターンＡは、第二乱数の種別が通常第二乱数の場合に決定される。特殊はずれパターンＢは、第二乱数の種別が特定第二乱数の場合に決定される。なお、これらのテーブルには、他のテーブルと同様に、複数種類の変動パターンが割り当てられ、各変動パターンと変動パターン決定乱数の値とが対応付けられていてもよい。
【００４９】
図６、図７に示すように、特殊変動パターンテーブルに割り当てられている変動パターンの変動時間のうち、通常第二乱数に基づく第二大当たり判定の結果がはずれの場合に決定され得る変動パターンの変動時間（以下、「第一変動時間」という。）の平均（以下、「第一平均時間」という。）は、通常変動パターンテーブルにおいて、大当たり判定時に非時短状態が生起されている場合に参照されるテーブルに割り当てられている変動パターンの変動時間のうち、大当たり判定の結果がはずれの場合に決定され得る変動パターンの変動時間（以下、「第二変動時間」という。）の平均（以下、「第二平均時間」という。）よりも短い。通常変動パターンテーブルにおいて、大当たり判定時に非時短状態が生起されている場合に参照されるテーブル割り当てられている変動パターンのうち、大当たり判定の結果がはずれの場合に決定され得る変動パターンは、非リーチ、リーチ演出Ａ〜Ｅである。第一実施形態の第二平均時間は、約１０秒である。また、第一実施形態の特殊変動パターンテーブルには、通常第二乱数に基づく第二大当たり判定の結果がはずれの場合に決定され得る変動パターンとして特殊はずれパターンＡのみが割り当てられているので、第一変動時間および第一平均時間は、それぞれ、特殊はずれパターンＡの変動時間と等しい。すなわち、第一実施形態の第一変動時間および第一平均時間は、それぞれ、１秒である。また、第一実施形態では、第一変動時間である特殊はずれパターンＡの変動時間（１秒）は、第二変動時間のうち最短の変動時間（保留球数が「３」のときの非リーチの４秒）よりも短い。従って、特殊図柄変動においては、パチンコ機１は通常図柄変動における報知演出よりもスピーディーな報知演出を実行でき、大当たり遊技の終了後、非時短状態中の報知演出に変化を与えることができる。
【００５０】
また、特殊変動パターンテーブルに割り当てられている変動パターンの変動時間のうち、特定第二乱数に基づく第二大当たり判定の際（すなわち、保留球数が「０」のときの第二大当たり判定の際）に決定され得る変動パターンの変動時間（以下、「第三変動時間」という。）の平均（以下、「第三平均時間」という。）と、第二平均時間との時間差は、第三平均時間と第一平均時間との時間差よりも小さい。第一実施形態の特殊変動パターンテーブルには、特定第二乱数に基づく第二大当たり判定の結果がはずれの場合に決定され得る変動パターンとして特殊はずれパターンＢのみが割り当てられているので、第三変動時間および第三平均時間は、それぞれ、特殊はずれパターンＢの変動時間と等しい。すなわち、第一実施形態の第三変動時間および第三平均時間は、それぞれ、１２秒であり、第二変動時間のうち、第二保留球数が「０」のときに最も決定されやすい非リーチの変動時間（１２秒）と等しい。従って、第三平均時間（１２秒）と第二平均時間（約１０秒）との時間差は、約２秒であり、第三平均時間（１２秒）と第一平均時間（１秒）との時間差は、１１秒である。
【００５１】
主制御基板４１は、決定した変動パターンに応じて決められている変動時間だけ、第一特別図柄または第二特別図柄を変動させる。また、主制御基板４１は、変動パターンテーブルが参照されて決定された変動パターンを指定するコマンドである変動パターン指定コマンドを、サブ制御基板５８へ送信する。サブ制御基板５８は、コマンドによって指定された変動パターンに応じて表示画面２８、スピーカ４８等を制御する。
【００５２】
図８を参照して、第一実施形態における特殊図柄変動および保留連背景について一例を説明する。前述したように、遊技者は右打ちによって大当たり遊技を消化する。このとき、右打ちされた遊技球が普通図柄作動ゲート１２を通過することがある。パチンコ機１は、大当たり遊技中に普通当たり判定を実行可能である。従って、大当たり遊技中に普通当たりと判定されて第二始動口１５が開放されることがある。一方で、大当たり遊技中には始動条件が成立しないので、大当たり判定は実行されない。従って、大当たり遊技中に第二始動口１５に遊技球が入賞して第二乱数が取得されると、その全てが第二保留乱数として第二大当たり情報記憶エリアに記憶される。この場合における第二乱数はいずれも非特定状態において取得されているので、その種別はいずれも通常第二乱数である。また、大当たり遊技開始時までに第二保留乱数として記憶されている第二乱数があったとしても、その第二乱数に基づいて第二大当たり判定がまだなされていないということは、始動条件が成立しておらず、非特定状態において取得された第二乱数であるので、その種別はいずれも通常第二乱数である。
【００５３】
時短無し大当たり遊技の終了後、大当たり遊技の終了時に記憶されている第二保留乱数に基づいて、特殊図柄変動が開始される。この場合、特殊変動パターンテーブルが参照されて変動パターンが決定される。大当たり遊技の終了時に４つの第二保留乱数が記憶されている場合等、特殊変動回数（４回）の特殊図柄変動が実行されるまでの間に特定状態にならなければ、第二大当たり判定の結果がはずれの場合には、第二保留乱数として記憶されている特定第二乱数に基づいて、特殊はずれパターンＡが決定される。そして、第二特別図柄が第一変動時間（１秒）変動する特殊図柄変動が４回繰り返される。その後、第一特別図柄または第二特別図柄が第二変動時間変動する通常図柄変動が実行される。この場合、変動時間の短い特殊図柄変動が連続して４回繰り返されているので、その後に変動時間の長い通常図柄変動に切り替わっても遊技者は違和感を覚えることはない。
【００５４】
また、時短無し大当たり遊技の終了時に記憶されている第二保留乱数の中に大当たりに対応する第二保留乱数がある場合には、特殊はずれパターンＡの変動時間が短いので、大当たり遊技の終了後、すぐに次の大当たり遊技が実行される。これにより、遊技者は、大当たり遊技が連続することによる高揚感を得ることができる。
【００５５】
一方、特殊変動回数の特殊図柄変動が実行されるまでの間に特定状態になる場合がある。図８は、一例として、時短無し大当たり遊技の終了時における第二保留球数が「３」であって、３回目の特殊図柄変動の終了時に特定状態となる場合を示す。大当たり遊技中に取得されて第二保留乱数として記憶されている３つの第二乱数の種別はいずれも通常第二乱数なので、３つの第二保留乱数について第二大当たり判定が行われ、第二大当たり判定の結果がはずれであった場合、それぞれ、特殊はずれパターンＡの変動パターンが決定される。すなわち、特殊はずれパターンＡに基づいて、３回連続で変動時間１秒の特殊図柄変動が行われる。その後、特定状態となり、第二始動口１５に遊技球が入賞すると、第二乱数が取得される。
【００５６】
この場合において、仮に特殊はずれパターンＡが決定されたとすると、前回の特殊図柄変動の終了後、所定の間を空けて変動時間１秒（第一変動時間）の特殊図柄変動が１回行われることとなる。その後、変動パターンテーブルが通常変動パターンテーブルに切り替えられ、変動時間１２秒等（第二変動時間）の通常図柄変動が行われる。この場合、変動時間が急に変化することで、遊技者は違和感を覚える可能性がある。
【００５７】
しかし、特定状態において取得された第二乱数の種別は特定第二乱数である。従って、第一実施形態のパチンコ機１では、この特定第二乱数について第二大当たり判定が行われ、第二大当たり判定の結果がはずれであった場合、特殊変動パターンＢの変動パターンが決定される。すなわち、特殊はずれパターンＢに基づいて、変動時間１２秒（第三変動時間）の特殊図柄変動が行われる。特殊変動回数（４回）の特殊図柄変動が終了すると、次回からは通常図柄変動が行われることとなる。次いで、大当たり判定が行われ、大当たり判定の結果がはずれであると、例えば最も決定されやすい非リーチの変動パターンが決定される。すなわち、保留球数が「０」のときの非リーチの変動パターンに基づいて、変動時間１２秒（第二変動時間）の通常図柄変動が行われる。この場合、第三変動時間と第二変動時間との時間差がないので、変動時間が急に変わることが抑制される。従って、パチンコ機１は、参照される変動パターンテーブルが特殊変動パターンテーブルから通常変動パターンテーブルに切り替わる際の図柄変動によって遊技者に与える違和感を抑制できる。
【００５８】
また、パチンコ機１は、時短無し大当たり遊技の終了後、最大で保留連回数の報知演出に亘って保留連背景を表示画面２８に表示する。保留連回数は、最大第二保留球数以下の回数であり、第一実施形態では最大第二保留球数および特殊変動回数と等しく４回である。また、保留連背景の表示に同期して、表示画面２８、可動役物３０、スピーカ４８等によって演出が実行される。仮に常に保留連回数の報知演出に亘って保留連背景が表示されるものとする。この場合、保留連回数の報知演出が実行されるまでに特定状態となると、その後に行われる報知演出にも亘って連続して保留連背景が表示されることとなる。この場合、保留連背景の表示が間延びして遊技者に違和感を与える可能性がある。また、保留連背景は、本来、時短無し大当たり遊技の終了時に記憶されていた第二保留乱数の中に大当たりに対応する第二保留乱数があるか否かを報知するための演出である。しかし、当該その後に行われる報知演出は、時短無し大当たり遊技の終了後の特定状態において取得された第二乱数に基づく報知演出であり、時短無し大当たり遊技の終了時に記憶されている第二保留乱数に基づく報知演出ではない。従って、当該その後に行われる報知演出にまで亘って保留連背景が表示されると、遊技者は違和感を覚える可能性が高い。
【００５９】
しかし、第一実施形態では、時短無し大当たり遊技が終了した場合、その時点における第二保留球数が特定される。特定された第二保留球数が保留連回数以上の場合、保留連背景は、時短無し大当たり遊技の終了後、保留連回数の報知演出に亘って実行される。一方、特定された第二保留球数が保留連回数未満の場合、保留連背景は、時短無し大当たり遊技の終了後、特定された第二保留球数分の報知演出に亘って実行される。保留連背景の表示が終了すると、切替背景を介して通常背景に切り替えられて表示画面２８に表示される。また、特定された第二保留球数が「０」の場合、保留連背景は表示されずに、通常背景が表示される。
【００６０】
図８の例では、時短無し大当たり遊技の終了時に特定される第二保留球数は「３」である。この場合、時短無し大当たり遊技の終了後、３回の特殊図柄変動に同期して行われる報知演出に亘って、保留連背景が表示される。３回目の報知演出が終了すると、保留連背景の表示が終了し、切替背景に切り替えられる。その後、４回目の報知演出が実行されると、切替背景から通常背景に切り替えられて表示される。このように、パチンコ機１は、時短無し大当たり遊技の終了時における第二保留球数が保留連回数未満の場合に、当該第二保留球数分の報知演出の終了時に保留連背景の表示を終了することで、保留連背景の表示が間延びすることを抑制できる。従って、パチンコ機１は、遊技者に与える保留連背景の表示の間延びによる違和感を抑制できる。また、時短無し大当たり遊技の終了時に保留連背景の表示を継続する報知演出の回数が決定するので、表示制御が容易である。
【００６１】
また、保留連背景が表示されている３回目までの報知演出の演出時間は、第一変動時間（１秒）であるが、通常背景が表示されている４回目の報知演出の演出時間は、第三変動時間（１２秒）となる。仮に図８の例で、４回目の特殊図柄変動において特殊はずれパターンＡが決定されたとすると、通常背景が表示されている４回目の報知演出の演出時間が１秒と非常に短くなる。この場合、通常図柄変動において通常背景が表示されているときの演出時間は１秒よりも長いので、通常背景が表示されているのに演出時間が短いと、遊技者は違和感を覚える可能性がある。しかし、第一実施形態のパチンコ機１では、通常背景が表示されている４回目の報知演出の演出時間が長いので、パチンコ機１は、通常背景が表示されているときの演出時間が短くなることによる違和感を遊技者に与えることを抑制できる。
【００６２】
図９〜図１６を参照して、パチンコ機１の主制御基板４１による動作について説明する。パチンコ機１の主制御は、ＲＯＭ５３に記憶されている制御プログラムによって行われる。制御プログラムのメイン処理（図９参照）は、割込信号発生回路５７（図３参照）が４ｍＳ毎に発生する割込信号をＣＰＵ５１が感知した際に、ＣＰＵ５１において実行される。以下、フローチャートの各ステップについて「Ｓ」と略記する。
【００６３】
図９に示すように、メイン処理が開始されると、コマンド出力処理が行われる（Ｓ１０）。コマンド出力処理では、制御コマンドが、サブ制御基板５８、払出制御基板４５、中継基板４７等に出力される。ここで出力される制御コマンドは、前回実行されたメイン処理においてＲＡＭ５２に記憶された制御コマンドである。
【００６４】
次いで、スイッチ読込処理が行われる（Ｓ１１）。スイッチ読込処理では、第一始動口スイッチ７２、第二始動口スイッチ７３、普通図柄作動スイッチ７４、大入賞口スイッチ７５等の各種スイッチから検出信号が供給されているかが検出される。検出信号が検出された場合は、各種スイッチに対応するフラグ（第一始動口入賞フラグ、第二始動口入賞フラグ、ゲート通過フラグ、大入賞口入賞フラグ等）が「ＯＮ」となる。このフラグの情報は、後述する特別電動役物処理、特別図柄処理、払出処理等において参照される。
【００６５】
次いで、カウンタ更新処理が行われる（Ｓ１２）。カウンタ更新処理では、乱数取得カウンタの値が加算される処理、変動時間カウンタの値が減算される処理等が行われる。乱数取得カウンタは、乱数値を示し、ＲＡＭ５２に記憶される。変動時間カウンタは、特別図柄の変動時間を計測するためのタイマカウンタであり、ＲＡＭ５２に記憶される。
【００６６】
次いで、特別電動役物処理が行われる（Ｓ１３）。詳細は後述するが、特別電動役物処理では、大当たり遊技の動作（主に、大入賞口１６の開閉部材の開閉動作）の制御、大当たり遊技の終了後の遊技状態に関する処理等が行われる（図１６参照）。
【００６７】
次いで、特別図柄処理が行われる（Ｓ１４）。詳細は後述するが、特別図柄処理では、大当たり判定、変動パターンの決定、特別図柄の決定、および遊技状態の移行処理等が行われる（図１０〜図１５参照）。
【００６８】
次いで、普通電動役物処理が行われる（Ｓ１５）。普通電動役物処理では、普通当たりとなった場合に普通当たり遊技の動作を制御するための処理が行われる。ＣＰＵ５１は、時短状態が生起されていれば、非時短状態中よりも長く、第二始動口１５の開閉部材を開放させる。なお、ＣＰＵ５１は、後述の時短フラグが「ＯＮ」の場合、時短状態中であると判断する。
【００６９】
次いで、普通図柄処理が行われる（Ｓ１６）。普通図柄処理では、普通図柄作動スイッチ７４によって遊技球が検出されることを契機として、普通当たり乱数が取得される。取得された乱数に基づいて、普通当たり判定、普通図柄の変動を制御するためのコマンドの記憶等の処理が行われる。前述したように、普通当たり判定は、時短状態が生起されているか否かに応じて、それぞれの確率（９９／１００または１５／１００）で判定される。
【００７０】
次いで、払出処理（Ｓ１７）、エラーチェック（Ｓ１８）、および情報出力処理（Ｓ１９）が行われる。払出処理では、賞球の払い出しが制御される。エラーチェックでは、エラーが発生している場合に、表示画面２８およびスピーカ４８等を用いてエラーが報知される。情報出力処理では、遊技場管理用コンピュータ（図示略）に各種の情報が出力される。
【００７１】
図１０〜図１５を参照して、特別図柄処理（Ｓ１４、図９参照）について詳細に説明する。まず、特別図柄処理で使用されるフラグについて説明する。ＲＡＭ５２には、前述した第一始動口入賞フラグおよび第二始動口入賞フラグに加えて、大当たり遊技状態フラグ、特別図柄表示状態フラグ、確変フラグ、時短フラグ、特定状態フラグ等が記憶されている。
【００７２】
大当たり遊技状態フラグは、大当たり遊技中には「ＯＮ」となり、大当たり遊技中でない場合には「ＯＦＦ」となる。特別図柄表示状態フラグは、第一特別図柄および第二特別図柄のいずれか一方が変動している場合（変動中）に「１」、いずれか一方が停止表示されている場合（停止表示中）に「２」、いずれも変動中でも停止表示中でもない場合に「０」が記憶される。確変フラグは、確変状態中には「ＯＮ」となり、非確変状態中には「ＯＦＦ」となる。時短フラグは、時短状態中には「ＯＮ」となり、非時短状態中には「ＯＦＦ」となる。特定状態フラグは、特定状態となった場合に「ＯＮ」となり、図柄変動が開始されると「ＯＦＦ」となる。
【００７３】
図１０に示すように、特別図柄処理が開始されると、まず、第一始動口入賞フラグの状態によって、第一始動口１４に遊技球が入賞しているか否かが判断される（Ｓ２１）。第一始動口入賞フラグが「ＯＦＦ」であり、第一始動口１４に遊技球が入賞していない場合（Ｓ２１：ＮＯ）、処理はＳ３１の判断へ移行する。第一始動口入賞フラグが「ＯＮ」であり、第一始動口１４に遊技球が入賞している場合（Ｓ２１：ＹＥＳ）、ＲＡＭ５２に記憶されている第一保留球数が「４」であるか否かが判断される（Ｓ２２）。第一保留球数が「４」であり最大第一保留球数に達している場合（Ｓ２２：ＹＥＳ）、処理はＳ３１の判断へ移行する。
【００７４】
第一保留球数が「４」でない場合（Ｓ２２：ＮＯ）、第一乱数が取得される（Ｓ２３）。次いで、取得された第一乱数がＲＡＭ５２の第一大当たり情報記憶エリア（図４参照）における空の記憶エリアのうち、記憶エリア番号が最も小さい記憶エリアに記憶される（Ｓ２４）。具体的には、ＲＡＭ５２の第一大当たり情報記憶エリアにおいて、第一大当たり乱数欄には第一大当たり判定カウンタの値が、第一特別図柄決定乱数欄には第一特別図柄決定カウンタの値が、第一変動パターン決定乱数欄には第一変動パターン決定カウンタの値が、転落乱数欄には転落抽選カウンタの値がそれぞれ記憶される。次いで、ＲＡＭ５２の第一ポインタ欄に新たな第一ポインタが１個追加される（Ｓ２５）。追加された第一ポインタは、Ｓ２４で第一乱数が記憶された記憶エリア番号を示す。次いで、ＲＡＭ５２に記憶されている第一保留球数に「１」が加算される（Ｓ２６）。
【００７５】
次いで、第二始動口入賞フラグの状態によって、第二始動口１５に遊技球が入賞しているか否かが判断される（Ｓ３１）。第二始動口入賞フラグが「ＯＦＦ」であり、第二始動口１５に遊技球が入賞していない場合（Ｓ３１：ＮＯ）、処理はＳ５１（図１１参照）の判断へ移行する。第二始動口入賞フラグが「ＯＮ」であり、第二始動口１５に遊技球が入賞している場合（Ｓ３１：ＹＥＳ）、ＲＡＭ５２に記憶されている第二保留球数が「４」であるか否かが判断される（Ｓ３２）。第二保留球数が「４」であり第二保留球数が最大第二保留球数に達している場合（Ｓ３２：ＹＥＳ）、処理はＳ５１の判断へ移行する。
【００７６】
第二保留球数が「４」でない場合（Ｓ３２：ＮＯ）、第二乱数が取得される（Ｓ３３）。次いで、特定状態フラグの状態によって、特定状態であるか否かが判断される（Ｓ４１）。特定状態フラグが「ＯＦＦ」となっており、特定状態でない場合（Ｓ４１：ＮＯ）、取得された第二乱数がＲＡＭ５２の第二大当たり情報記憶エリア（図４参照）における空の記憶エリアのうち、記憶エリア番号が最も小さい記憶エリアに記憶される（Ｓ４２）。Ｓ４２で記憶エリアに記憶された第二乱数は、非特定状態において取得されているので、通常第二乱数である。次いで、ＲＡＭ５２の第二ポインタ欄に新たな第二ポインタが１個追加される（Ｓ４３）。追加された第二ポインタは、Ｓ４２で第二乱数が記憶された記憶エリア番号を示す。その後、処理はＳ４５へ移行する。
【００７７】
また、特定状態フラグが「ＯＮ」となっており、特定状態である場合（Ｓ４１：ＹＥＳ）、取得された第二乱数が、ＲＡＭ５２の第二大当たり情報記憶エリアを介さず、判定エリアに直接記憶される（Ｓ４４）。Ｓ４４で判定エリアに記憶された第二乱数は、特定状態において取得されているので、特定第二乱数である。
【００７８】
次いで、ＲＡＭ５２に記憶されている第二保留球数に「１」が加算される（Ｓ４５）。次いで、第二保留球数通知コマンドがＲＡＭ５２に記憶される（Ｓ４６）。第二保留球数通知コマンドは、次回実行されるメイン処理のコマンド出力処理（Ｓ１０、図９参照）においてサブ制御基板５８に送信され、第二保留球数をサブ制御基板５８に通知する。処理はＳ５１の判断へ移行する。
【００７９】
図１１に示すように、次いで、大当たり遊技状態フラグの状態によって、大当たり遊技中であるか否かが判断される（Ｓ５１）。大当たり遊技状態フラグが「ＯＮ」であり、大当たり遊技中である場合（Ｓ５１：ＹＥＳ）、処理はメイン処理（図９参照）へ戻る。大当たり遊技状態フラグが「ＯＦＦ」であり、大当たり遊技中でない場合（Ｓ５１：ＮＯ）、特別図柄表示状態フラグの状態によって、第一特別図柄および第二特別図柄のいずれかが変動中であるか否かが判断される（Ｓ５２）。特別図柄表示状態フラグに「０」および「２」のいずれかが記憶されており、いずれも変動中でない場合（Ｓ５２：ＮＯ）、特別図柄表示状態フラグの状態によって、第一特別図柄および第二特別図柄のいずれかが停止表示中であるか否かが判断される（Ｓ５３）。特別図柄表示状態フラグに「０」および「１」のいずれかが記憶されており、いずれも停止表示中でない場合（Ｓ５３：ＮＯ）、処理はＳ６１（図１２参照）の判断へ移行し、大当たり判定等の処理が行われる。
【００８０】
図１２に示すように、第一実施形態では、大当たり判定において、第二大当り判定が第一大当たり判定よりも優先して行われる。よって、第二保留乱数があるか否かの確認が、第一保留乱数があるか否かの確認よりも先に行われる。まず、ＲＡＭ５２に記憶されている第二保留球数が「１」以上であるか否かが判断される（Ｓ６１）。第二保留球数が「０」の場合（Ｓ６１：ＮＯ）、ＲＡＭ５２に記憶されている第一保留球数が「１」以上であるか否かが判断される（Ｓ６２）。第一保留球数が「０」の場合（Ｓ６２：ＮＯ）、大当たり判定を行う第一保留乱数および第二保留乱数がなく（Ｓ６１：ＮＯ、Ｓ６２：ＮＯ）、大当たり遊技中でもなく（Ｓ５１：ＮＯ、図１１参照）、且つ特別図柄の変動中でも停止表示中もない（Ｓ５２：ＮＯ、Ｓ５３：ＮＯ、図１１参照）ので、特定状態である。よって、特定状態フラグが「ＯＮ」となり（Ｓ６３）、処理はメイン処理（図９参照）へ戻る。
【００８１】
第一保留球数が「１」以上の場合（Ｓ６２：ＹＥＳ）、ＲＡＭ５２の第一大当たり情報記憶エリアで第一ポインタが指す記憶エリア番号のうち最も小さい番号の記憶エリア（保留１の第一ポインタが指す記憶エリア）に記憶されている第一保留乱数が判定エリアに記憶される（Ｓ６４）。次いで、ＲＡＭ５２の第一大当たり情報記憶エリアで最も小さい番号の記憶エリアを指す第一ポインタ（保留１の第一ポインタ）が第一ポインタ欄から消去されて更新され（Ｓ６５）。次いで、ＲＡＭ５２に記憶されている第一保留球数が「１」減算され（Ｓ６６）、処理はＳ７６へ移行する。
【００８２】
また、第二保留球数が「１」以上の場合（Ｓ６１：ＹＥＳ）、まず、特定状態フラグの状態によって、ＲＡＭ５８２の判定エリアに特定第二乱数が記憶されているか否かが判断される（Ｓ７１）。特定状態フラグが「ＯＦＦ」であり、判定エリアに特定第二乱数が記憶されていない場合（Ｓ７１：ＮＯ）、第二大当たり情報記憶エリアで保留１の第二ポインタが指す記憶エリアに第二保留乱数として記憶されている通常第二乱数が判定エリアに記憶される（Ｓ７２）。次いで、ＲＡＭ５２の第二大当たり情報記憶エリアで最も小さい番号の記憶エリアを指す第二ポインタ（保留１の第二ポインタ）が第二ポインタ欄から消去されて更新され（Ｓ７３）、処理はＳ７５へ移行する。
【００８３】
一方、特定状態フラグが「ＯＮ」となっており、Ｓ４４（図１０参照）で既に判定エリアに特定第二乱数が記憶されている場合（Ｓ７１：ＹＥＳ）、Ｓ７２、Ｓ７３が実行されずにＳ７５へ移行する。次いで、ＲＡＭ５２に記憶されている第二保留球数が「１」減算される（Ｓ７５）。次いで、大当たり判定処理が実行される（Ｓ７６）。大当たり判定処理では、転落抽選、大当たり判定、特別図柄の決定に関する各処理が行われる。
【００８４】
図１３を参照して、大当たり判定処理（Ｓ７６、図１２参照）について詳細に説明する。第一実施形態では、確変状態か否かによって転落抽選を行うか否かが異なる。そこで、大当たり判定処理が開始されると、まず、確変フラグの状態によって、確変状態が生起されているか否かが判断される（Ｓ８１）。確変フラグが「ＯＦＦ」であり、確変状態が生起されていない場合（Ｓ８１：ＮＯ）、転落抽選は行われないので、処理はＳ８５へ移行する。確変フラグが「ＯＮ」であり、確変状態が生起されている場合（Ｓ８１：ＹＥＳ）、転落抽選処理が行われる（Ｓ８２）。図示しないが、ＲＯＭ５３には、転落抽選を行うためのテーブルとして、転落抽選テーブルが記憶されている。転落抽選テーブルには、転落抽選の「当選」および「はずれ」にそれぞれ対応する転落乱数の乱数値が定義されている。転落抽選処理では、転落抽選テーブルが参照されて、Ｓ４４（図１０参照）、Ｓ６４、またはＳ７２（図１２参照）でＲＡＭ５２の判定エリアに記憶されている転落乱数が、「当選」および「はずれ」のいずれに対応するかが判定される。これにより、ＲＡＭ５２に記憶された未抽選の転落乱数に基づく転落抽選が、転落乱数の記憶順に行われる。
【００８５】
次いで、転落抽選の結果が「当選」であるか否かが判断される（Ｓ８３）。転落抽選の結果が「はずれ」の場合（Ｓ８３：ＮＯ）、確変状態は終了せず、処理はＳ８５へ移行する。転落抽選の結果が「当選」の場合（Ｓ８３：ＹＥＳ）、確変フラグが「ＯＦＦ」となり、確変状態が終了する（Ｓ８４）。これにより、転落抽選に当選すると、遊技状態が確変状態から非確変状態へと移行する。
【００８６】
次いで、確変状態が生起されているか否かに応じて大当たり判定が行われる（Ｓ８５）。Ｓ８５では、確変フラグの状態を参照して、現時点において確変状態が生起されているか否かが特定される。図示しないがＲＯＭ５３には、大当たり判定を行うためのテーブルとして、低確率判定テーブルと、高確率判定テーブルとが設けられている。低確率判定テーブルは、非確変状態中の大当たり判定に用いられるテーブルであり、第一大当たり判定および第二大当たり判定のそれぞれについて「大当たり」および「はずれ」にそれぞれ対応する大当たり乱数の乱数値を定義している。高確率判定テーブルは、確変状態中の大当たり判定に用いられるテーブルであり、第一大当たり判定および第二大当たり判定のそれぞれについて「大当たり」および「はずれ」にそれぞれ対応する大当たり乱数の乱数値を定義している。選択された低確率判定テーブルまたは高確率判定テーブルが参照されて、Ｓ６４（図１２参照）でＲＡＭ５２の判定エリアに記憶されている第一大当たり乱数が、「大当たり」および「はずれ」のいずれに対応するかが判定される第一大当たり判定が行われる。また、Ｓ４４（図１０参照）またはＳ７２（図１２参照）で判定エリアに記憶されている第二大当たり乱数が、「大当たり」および「はずれ」のいずれに対応するかが判定される第二大当たり判定が行われる。なお、第一大当たり情報記憶エリアおよび第二大当たり情報記憶エリアにおいて、保留乱数のそれぞれの記憶順が特定されて記憶されているので、ＲＡＭ５２に記憶された未判定の大当たり乱数に基づく大当たり判定が、大当たり乱数の記憶された順（すなわち、取得された順）に行われる。大当たり判定の判定結果はＲＡＭ５２に記憶される。
【００８７】
次いで、大当たり判定の結果が「大当たり」であるか否かが判断される（Ｓ８６）。大当たり判定の結果が「はずれ」の場合には（Ｓ８６：ＮＯ）、処理は特別図柄処理（図１２参照）へ戻る。大当たり判定の結果が大当たりの場合には（Ｓ８６：ＹＥＳ）、大当たり種別および時短回数（時短状態を生起するか否か）が決定される（Ｓ８７）。Ｓ８７では、特別図柄決定テーブル（図５参照）を参照して、Ｓ４４（図１０参照）、Ｓ６４、またはＳ７２（図１２参照）でＲＡＭ５２の判定エリアに記憶されている特別図柄決定乱数に対応する大当たり種別が決定される。また、時短フラグの状態を参照して、現時点において時短状態が生起されているか否かが特定される。時短状態が生起されているか否かに応じて、決定された大当たり種別に対応する時短回数が決定される。決定された大当たり種別および時短回数（すなわち、時短付き大当たりおよび時短無し大当たりのいずれであるか）はＲＡＭ５２に記憶される。その後、処理は特別図柄処理へ戻る。
【００８８】
図１２に示すように、大当たり判定処理（Ｓ７６）の後には、変動パターン決定処理が実行される（Ｓ１０１）。変動パターン決定処理では、通常変動パターンテーブル（図６参照）および特殊変動パターンテーブル（図７参照）のいずれかから変動パターンが決定される。
【００８９】
図１４を参照して、変動パターン決定処理（Ｓ１０１、図１２参照）について詳細に説明する。変動パターン決定処理が開始されると、まず、大当たり判定処理（Ｓ７６、図１２参照）で行われた大当たり判定が第一大当たり判定か否かが判断される（Ｓ９１）。第一大当たり判定の場合（Ｓ９１：ＹＥＳ）、ＣＰＵ５１によって参照される変動パターンテーブルとして、通常変動パターンテーブル（図６参照）がセットされる（Ｓ９２）。次いで、セットされた通常変動パターンテーブルが参照されて、大当たり判定の種別、遊技状態、および判定結果に応じた変動パターンの１つが、変動パターン決定乱数の値によって決定され（Ｓ９３）、処理は特別図柄処理（図１２参照）へ戻る。
【００９０】
第二大当たり判定の場合（Ｓ９１：ＮＯ）、特殊変動回数カウンタの値によって、後述のＳ９５で特殊変動パターンテーブルがセットされる残りの第二図柄変動の実行回数（以下、「残り特殊変動回数」という。）が「０」であるか否かが判断される（Ｓ９４）。特殊変動回数カウンタは、残り特殊変動回数をカウントするために用いられ、ＲＡＭ５２に記憶される。特殊変動回数カウンタには、後述の特別電動役物処理におけるＳ１８８（図１６参照）において、大当たり遊技の終了時、時短状態が生起されなかった場合に特殊変動回数「４」がセットされる。特殊変動回数カウンタの値は、「０」になるまで、後述のＳ１３３（図１５参照）で第二大当たり判定が行われる毎に「１」減算される。特殊変動回数カウンタの値が「０」であり、残り特殊変動回数が「０」の場合（Ｓ９４：ＹＥＳ）、Ｓ９２、Ｓ９３が順に行われて、処理は特別図柄処理へ戻る。特殊変動回数カウンタの値が「１」以上であり、残り特殊変動回数が「０」でない場合（Ｓ９４：ＮＯ）、ＣＰＵ５１によって参照される変動パターンテーブルとして、特殊変動パターンテーブル（図７参照）がセットされる（Ｓ９５）。次いで、セットされた特殊変動パターンテーブルが参照されて、第二大当たり判定の判定結果および大当たり判定が行われた第二乱数の種別に応じて、変動パターンの１つが決定される（Ｓ９６）。Ｓ９６では、第二大当たり判定の判定結果が大当たりの場合、第二乱数の種別にかかわらず、「特殊当たりパターン」の変動パターンが決定される。第二大当たり判定の判定結果がはずれの場合、特定状態フラグが参照されて変動パターンが決定される。詳細には、特定状態フラグが「ＯＦＦ」となっていれば、第二乱数の種別が通常第二乱数なので、「特殊はずれパターンＡ」の変動パターンが決定され、特定状態フラグが「ＯＮ」となっていれば、第二乱数の種別が特定第二乱数なので、「特殊はずれパターンＢ」の変動パターンが決定される。その後、処理は特別図柄処理へ戻る。
【００９１】
図１２に示すように、変動パターン決定処理（Ｓ１０１）の後には、変動パターン指定コマンドがＲＡＭ５２に記憶される（Ｓ１０２）。変動パターン指定コマンドは、次回実行されるメイン処理のコマンド出力処理（Ｓ１０、図９参照）において、サブ制御基板５８に送信され、Ｓ９３またはＳ９６（図１４参照）で決定された変動パターンをサブ制御基板５８に指定する。図柄表示部２４は、中継基板４７を介して変動パターン指定コマンドを受信し、第一特別図柄表示部または第二特別図柄表示部における第一特別図柄または第二特別図柄の変動（第一図柄変動または第二図柄変動）を開始する。決定された変動パターンによって指定されている第一特別図柄または第二特別図柄の変動時間が、変動時間カウンタにセットされる（Ｓ１０３）。第一特別図柄および第二特別図柄のいずれかが変動中であることを示す「１」が特別図柄表示状態フラグに記憶される（Ｓ１０４）。次いで、ＲＡＭ５２の判定エリアから大当たり判定が行われた第一乱数または第二乱数が消去される（Ｓ１０５）。次いで、特定状態フラグが「ＯＮ」となっていれば「ＯＦＦ」となり（Ｓ１０６）、処理はメイン処理（図９参照）へ戻る。
【００９２】
図１１に示すように、Ｓ５２の判断において、特別図柄表示状態フラグに「１」が記憶されており、第一特別図柄および第二特別図柄のいずれかが変動中である場合（Ｓ５２：ＹＥＳ）、Ｓ１０３（図１２参照）においてセットされた変動時間カウンタの値によって、特別図柄の変動時間が経過したか否かが判断される（Ｓ１１１）。変動時間カウンタの値が「０」でなく、変動時間がまだ経過していない場合（Ｓ１１１：ＮＯ）、処理はメイン処理（図９参照）へ戻る。変動時間カウンタの値が「０」であり、変動時間が経過した場合（Ｓ１１１：ＹＥＳ）、ＲＡＭ５２に特別図柄停止コマンドが記憶される（Ｓ１１２）。特別図柄停止コマンドは、コマンド出力処理（Ｓ１０、図９参照）によってサブ制御基板５８および中継基板４７に送信され、表示画面２８に変動表示されている演出図柄、および図柄表示部２４に変動表示されている特別図柄の変動停止を指示する。次いで、特別図柄の所定の停止表示時間（第一実施形態では０．６秒）が停止時間カウンタに記憶される（Ｓ１１３）。停止時間カウンタは、特別図柄の停止時間を計測するためのタイマカウンタであり、ＲＡＭ５２に記憶される。第一特別図柄および第二特別図柄のいずれかが停止表示中であることを示す「２」が特別図柄表示状態フラグに記憶され（Ｓ１１４）、処理はメイン処理へ戻る。
【００９３】
また、Ｓ５３の判断において、特別図柄表示状態フラグに「２」が記憶されおり、第一特別図柄および第二特別図柄のいずれかが停止表示中である場合（Ｓ５３：ＹＥＳ）、Ｓ１１３においてセットされた停止時間カウンタの値によって、特別図柄の停止表示時間が経過したか否かが判断される（Ｓ１２１）。停止時間カウンタの値が「０」でなく、停止表示時間がまだ経過していない場合（Ｓ１２１：ＮＯ）、処理はメイン処理へ戻る。停止時間カウンタの値が「０」であり、停止表示時間が経過した場合（Ｓ１２１：ＹＥＳ）、第一特別図柄および第二特別図柄のいずれもが変動中でも停止表示中でもないことを示す「０」が、特別図柄表示状態フラグに記憶される（Ｓ１２２）。次いで、遊技状態移行処理が実行される（Ｓ１２３）。遊技状態移行処理では、特殊変動カウンタの制御と、大当たりと判定された場合には遊技を大当たり遊技へ移行させ、所定の終了条件が成立した場合には時短状態および確変状態を終了させるための各種のフラグの制御とが行われる。その後、処理はメイン処理へ戻る。
【００９４】
図１５を参照して、遊技状態移行処理（Ｓ１２３、図１１参照）について詳細に説明する。遊技状態移行処理が開始されると、まず、Ｓ８５（図１３参照）で行われた大当たり判定が第二大当たり判定か否かが判断される（Ｓ１３１）。第一大当たり判定であり、第二大当たり判定でない場合（Ｓ１３１：ＮＯ）、処理はＳ１４１の判断へ移行する。第二大当たり判定の場合（Ｓ１３１：ＹＥＳ）、特殊変動回数カウンタの値によって、残り特殊変動回数が「０」であるか否かが判断される（Ｓ１３２）。特殊変動回数カウンタの値が「０」であり、残り特殊変動回数が「０」の場合（Ｓ１３２：ＹＥＳ）、処理はＳ１４１の判断へ移行する。特殊変動回数カウンタの値が「１」以上であり、残り特殊変動回数が「０」でない場合（Ｓ１３２：ＮＯ）、特殊変動回数カウンタの値が「１」減算される（Ｓ１３３）。
【００９５】
次いで、大当たり判定の結果が大当たりであるか否かが判断される（Ｓ１４１）。大当たりの場合（Ｓ１４１：ＹＥＳ）、大当たり遊技状態フラグが「ＯＮ」となって大当たり遊技が開始される（Ｓ１４２）。第一実施形態では、大当たり遊技のラウンド数は、特別図柄決定テーブル（図５参照）における大当たり種別に応じて決定される。従って、大当たり種別に応じた「５Ｒ」および「１５Ｒ」の各ラウンド数のいずれかを示す値が、ラウンド数カウンタにセットされる（Ｓ１４３）。ラウンド数カウンタは、残りのラウンド数をカウントするために用いられ、ＲＡＭ５２に記憶される。次いで、大当たり遊技開始コマンドがＲＡＭ５２に記憶される（Ｓ１４４）。大当たり遊技開始コマンドは、次回実行されるメイン処理のコマンド出力処理（Ｓ１０、図９参照）において、サブ制御基板５８に送信され、大当たり遊技中に実行させる大当たり演出を開始させる。次いで、時短フラグおよび確変フラグが「ＯＮ」となっていれば、「ＯＦＦ」となって時短状態および確変状態が終了し（Ｓ１４５）、処理は特別図柄処理（図１１参照）へ戻る。
【００９６】
一方、大当たり判定の結果がはずれの場合（Ｓ１４１：ＮＯ）、時短フラグの状態によって、時短状態が生起されているか否かが判断される（Ｓ１５１）。時短フラグが「ＯＦＦ」であり、時短状態が生起されていない場合（Ｓ１５１：ＮＯ）、処理は特別図柄処理へ戻る。
【００９７】
時短フラグが「ＯＮ」であり、時短状態が生起されている場合（Ｓ１５１：ＹＥＳ）、時短回数カウンタの値が「１」減算される（Ｓ１５２）。時短回数カウンタは、時短状態が継続する残りの判定回数（以下、「残り時短回数」という。）をカウントするために用いられ、ＲＡＭ５２に記憶される。時短回数カウンタには、後述の特別電動役物処理におけるＳ１８６（図１６参照）において、大当たり遊技の終了時、時短状態が生起される際に時短回数「８３」がセットされる。次いで、時短回数カウンタの値によって、残り時短回数が「０」であるか否かが判断される（Ｓ１５３）。時短回数カウンタの値が「１」以上であり、残り時短回数が「０」でない場合（Ｓ１５３：ＮＯ）、遊技状態は移行せず、処理は特別図柄処理へ戻る。
【００９８】
時短回数カウンタの値が「０」であり、残り時短回数が「０」となった場合（Ｓ１５３：ＹＥＳ）、時短フラグが「ＯＦＦ」となって時短状態が終了する（Ｓ１５４）。これにより、大当たり終了後に時短状態が生起された場合、判定回数が時短回数「８３」に達すると、遊技状態が時短状態から非時短状態へと移行する。その後、処理は特別図柄処理へ戻る。
【００９９】
図１６を参照して、特別電動役物処理（Ｓ１３、図９参照）について詳細に説明する。まず、特別電動役物処理で使用されるフラグを説明する。ＲＡＭ５２には、前述した大当たり遊技状態フラグ等に加えて、大入賞口開放中フラグ等が記憶されている。大入賞口開放中フラグは、大入賞口１６が開放状態である場合には「ＯＮ」となり、大入賞口１６が閉鎖状態である場合には「ＯＦＦ」となる。
【０１００】
特別電動役物処理が開始されると、まず、大当たり遊技状態フラグの状態によって、大当たり遊技中であるか否かが判断される（Ｓ１６１）。大当たり遊技状態フラグが「ＯＦＦ」であり、大当たり遊技中でない場合（Ｓ１６１：ＮＯ）、処理はメイン処理（図９参照）へ戻る。大当たり遊技状態フラグが「ＯＮ」であり、大当たり遊技中である場合（Ｓ１６１：ＹＥＳ）、大入賞口開放中フラグの状態によって、大入賞口１６が開放状態であるか否かが判断される（Ｓ１６２）。
【０１０１】
大入賞口開放中フラグが「ＯＦＦ」であり、大入賞口１６が閉鎖状態の場合（Ｓ１６２：ＮＯ）、閉鎖時間カウンタの値によって、大入賞口１６の閉鎖時間が経過したか否かが判断される（Ｓ１６３）。閉鎖時間カウンタは、大入賞口１６の閉鎖時間を計数するタイマカウンタであり、ＲＡＭ５２に記憶される。閉鎖時間カウンタの値が「０」でなく、閉鎖時間がまだ経過していない場合（Ｓ１６３：ＮＯ）、引き続き大入賞口１６を閉鎖させておくため、処理はメイン処理へ戻る。閉鎖時間カウンタの値が「０」であり、閉鎖時間が経過した場合（Ｓ１６３：ＹＥＳ）、ラウンド数カウンタの値によって、残りのラウンド数が「０」であるか否かが判断される（Ｓ１６４）。ラウンド数カウンタは、Ｓ１４３（図１５参照）においてセットされ、後述のＳ１６６でラウンド毎に「１」減算される。
【０１０２】
ラウンド数カウンタの値が「０」でなく、大入賞口１６がまだ所定のラウンド数開放されていない場合（Ｓ１６４：ＮＯ）、大入賞口開放コマンドが、ＲＡＭ５２に記憶される（Ｓ１６５）。大入賞口閉鎖コマンドは、次回実行されるメイン処理のコマンド出力処理（Ｓ１０、図９参照）において、中継基板４７に送信され、大入賞口１６を開放させる。次いで、ラウンド数カウンタの値が「１」減算される（Ｓ１６６）。次いで、大入賞口開放中フラグが「ＯＮ」となる（Ｓ１６７）。次いで、開放時間カウンタに大入賞口１６の開放時間（例えば３０秒）がセットされる（Ｓ１６８）。開放時間カウンタは、大入賞口１６の開放時間を計数するタイマカウンタであり、ＲＡＭ５２に記憶される。次いで、入賞数カウンタの値がクリアされて「０」にされる（Ｓ１６９）。入賞数カウンタは、１回のラウンド遊技において、大入賞口１６に入賞した遊技球の数（入賞数）をカウントするために用いられ、ＲＡＭ５２に記憶される。その後、処理はメイン処理へ戻る。
【０１０３】
また、Ｓ１６２の判断において、大入賞口開放中フラグが「ＯＮ」であり、大入賞口１６が開放状態の場合（Ｓ１６２：ＹＥＳ）、大入賞口入賞フラグの状態によって、開放状態の大入賞口１６に遊技球が入賞したか否かが判断される（Ｓ１７１）。大入賞口入賞フラグが「ＯＦＦ」であり、大入賞口１６に遊技球が入賞していない場合（Ｓ１７１：ＮＯ）、処理はＳ１７３へ移行する。大入賞口入賞フラグが「ＯＮ」であり、大入賞口１６に遊技球が入賞した場合（Ｓ１７１：ＹＥＳ）、入賞数カウンタの値に「１」が加算される（Ｓ１７２）。
【０１０４】
次いで、入賞数カウンタの値によって、大入賞口１６への入賞数が規定上限数（第一実施形態では、９個）以上であるか否かが判断される（Ｓ１７３）。Ｓ１７２で計数された入賞数カウンタの値が「８」以下の場合（Ｓ１７３：ＮＯ）、開放時間カウンタの値によって、大入賞口１６の開放時間が経過したか判断される（Ｓ１７４）。Ｓ１６８でセットされた開放時間カウンタの値が「０」でなく、大入賞口１６の開放時間がまだ経過していない場合（Ｓ１７４：ＮＯ）、引き続き大入賞口１６を開放させておくため、処理はメイン処理（図９参照）へ戻る。
【０１０５】
一方、入賞数カウンタの値が「９」以上の場合（Ｓ１７３：ＹＥＳ）、もしくは開放時間カウンタの値が「０」であり、大入賞口１６の開放時間が経過した場合（Ｓ１７４：ＹＥＳ）、大入賞口閉鎖コマンドがＲＡＭ５２に記憶される（Ｓ１７５）。大入賞口閉鎖コマンドは、次回実行されるメイン処理のコマンド出力処理（Ｓ１０、図９参照）において、中継基板４７に送信され、大入賞口１６を閉鎖させる。次いで、大入賞口開放中フラグが「ＯＦＦ」となる（Ｓ１７６）。次いで、閉鎖時間カウンタに大入賞口１６の閉鎖時間がセットされる（Ｓ１７７）。その後、処理はメイン処理へ戻る。
【０１０６】
また、Ｓ１６４の判断において、ラウンド数カウンタの値が「０」であり、大入賞口１６が所定のラウンド数開放された場合（Ｓ１６４：ＹＥＳ）、大当たり遊技を終了させる処理が行われる。具体的には、大当たり遊技状態フラグが「ＯＦＦ」となり、大当たり遊技が終了する（Ｓ１８１）。次いで、大当たり遊技終了コマンドがＲＡＭ５２に記憶される（Ｓ１８２）。大当たり遊技終了コマンドは、次回実行されるメイン処理のコマンド出力処理（Ｓ１０、図９参照）においてサブ制御基板５８に送信され、実行中の大当たり演出を終了させる。第一実施形態の大当たり終了コマンドは、大当たり遊技の終了後に時短状態が生起されるか否かを示す時短情報を含む。次いで、第一実施形態では、大当たり遊技の終了後に１００％の確率で確変状態が生起されるので、確変フラグが「ＯＮ」となり、確変状態が生起される（Ｓ１８３）。
【０１０７】
次いで、時短付き大当たりであるか否かが判断される（Ｓ１８４）。時短付き大当たりである場合（Ｓ１８４：ＹＥＳ）、時短フラグが「ＯＮ」となり、時短状態が生起される（Ｓ１８５）。次いで、時短回数カウンタに時短回数「８３」がセットされる（Ｓ１８６）。次いで、特殊変動回数カウンタに「０」がセットされ（Ｓ１８７）、処理はメイン処理へ戻る。
【０１０８】
時短付き大当たりでない場合（Ｓ１８４：ＹＥＳ）、特殊変動回数カウンタに特殊変動回数「４」がセットされ（Ｓ１８８）、処理はメイン処理へ戻る。
【０１０９】
図１７〜図１９を参照して、サブ制御基板５８において実行されるサブ制御基板処理について説明する。サブ制御基板処理は、パチンコ機１が起動すると、ＲＯＭ５８３に記憶されているプログラムに従って、ＣＰＵ５８１によって実行される。サブ制御基板処理では、主制御基板４１から送信された各種コマンドに従って、主に演出制御に関する処理が実行される。サブ制御基板処理では、特に保留連背景等の背景演出の表示に関する処理が行われる。
【０１１０】
図１７に示すように、サブ制御基板処理が開始されると、まず、主制御基板４１から第二保留球数通知コマンドを受信したか否かが判断される（Ｓ２０１）。第二保留球数通知コマンドを受信していない場合（Ｓ２０１：ＮＯ）、処理はＳ２１１の判断へ移行する。第二保留球数通知コマンドを受信した場合（Ｓ２０１：ＹＥＳ）、第二保留球数通知コマンドによって通知された第二保留球数がＲＡＭ５８２に記憶され（Ｓ２０２）、処理はＳ２１１の判断へ移行する。
【０１１１】
次いで、主制御基板４１から大当たり遊技開始コマンドを受信したか否かが判断される（Ｓ２１１）。大当たり遊技開始コマンドを受信していない場合（Ｓ２１１：ＮＯ）、処理はＳ２２１の判断へ移行する。大当たり遊技開始コマンドを受信した場合（Ｓ２１１：ＹＥＳ）、大当たり演出が開始される（Ｓ２１２）。この処理は、ＣＰＵ５８１が、大当たり演出を実行するためのコマンドを、演出制御基板４３へ送信することによって行われる。演出制御基板４３のＣＰＵ４３１は、サブ制御基板５８から受信するコマンドに従って、表示画面２８の表示制御を開始する。また、ＣＰＵ５８１は、大当たり演出に対応する各種照明の動作、可動役物３０の動作、スピーカ４８の音声出力等の各種制御を開始する。処理はＳ２２１の判断へ移行する。
【０１１２】
次いで、主制御基板４１から大当たり遊技終了コマンドを受信したか否かが判断される（Ｓ２２１）。前述したように、大当たり遊技終了コマンドには時短情報が含まれる。大当たり遊技終了コマンドを受信していない場合（Ｓ２２１：ＮＯ）、処理はＳ２３１の判断へ移行する。大当たり遊技終了コマンドを受信した場合（Ｓ２２１：ＹＥＳ）、実行中の大当たり演出が終了する（Ｓ２２２）。この処理は、ＣＰＵ５８１が、大当たり演出を終了するためのコマンドを、演出制御基板４３へ送信することによって行われる。演出制御基板４３のＣＰＵ４３１は、サブ制御基板５８から受信するコマンドに従って、表示画面２８の表示制御を終了する。また、ＣＰＵ５８１は、大当たり演出に対応する各種照明の動作、可動役物３０の動作、スピーカ４８の音声出力等の各種制御を終了する。次いで、第一背景処理が実行される（Ｓ２２３）。第一背景処理では、通常背景または保留連背景の表示を開始するか否かの判断が行われる。処理はＳ２３１の判断へ移行する。
【０１１３】
図１８を参照して、第一実施形態における第一背景処理（Ｓ２２３、図１７参照）について詳細に説明する。第一背景処理が開始されると、まず、受信した大当たり遊技終了コマンドに含まれる時短情報を参照し、大当たり遊技の終了後に時短状態が生起されるか否かが判断される（Ｓ３０１）。大当たり遊技の終了後に時短状態が生起される場合（Ｓ３０１：ＹＥＳ）、処理はサブ制御基板処理（図１７参照）へ戻る。
【０１１４】
大当たり遊技の終了後に時短状態が生起されない場合（Ｓ３０１：ＮＯ）、Ｓ２０２、Ｓ２３５（図１７参照）で計数されてＲＡＭ５８２に記憶されている第二保留球数が特定される（Ｓ３０２）。次いで、特定した第二保留球数が「０」であるか否かが判断される（Ｓ３０３）。第二保留球数が「０」である場合（Ｓ３０３：ＹＥＳ）、表示画面２８において通常背景の表示が開始される（Ｓ３０４）。この処理は、ＣＰＵ５８１が、通常背景を表示画面２８に表示するためのコマンドを、演出制御基板４３へ送信することによって行われる。演出制御基板４３のＣＰＵ４３１は、サブ制御基板５８から受信するコマンドに従って、表示画面２８において通常背景を表示させて、表示画面２８の表示制御を開始する。また、ＣＰＵ５８１は、通常背景に対応する各種照明の動作、可動役物３０の動作、スピーカ４８の音声出力等の各種制御を開始する。次いで、処理はサブ制御基板処理へ戻る。
【０１１５】
第二保留球数が「１」以上の場合（Ｓ３０３：ＮＯ）、第二保留球数が保留連回数「４」未満であるか否かが判断される（Ｓ３１１）。第二保留球数が保留連回数以上の場合（Ｓ３１１：ＮＯ）、保留連回数カウンタに保留連回数「４」がセットされる（Ｓ３１２）。保留連回数カウンタは、保留連背景が継続して表示される報知演出の残りの実行回数をカウントするために用いられ、ＲＡＭ５８２に記憶される。保留連回数カウンタの値は、「０」になるまで、後述の第二背景処理のＳ３３２（図１９参照）で報知演出が終了する毎に「１」減算される。処理はＳ３１４へ移行する。
【０１１６】
第二保留球数が保留連回数未満の場合（Ｓ３１１：ＹＥＳ）、保留連回数の代わりに第二保留球数が保留連回数カウンタにセットされる（Ｓ３１３）。次いで、表示画面２８において保留連背景の表示が開始される（Ｓ３１４）。この処理は、ＣＰＵ５８１が、保留連背景を表示画面２８に表示するためのコマンドを、演出制御基板４３へ送信することによって行われる。演出制御基板４３のＣＰＵ４３１は、サブ制御基板５８から受信するコマンドに従って、表示画面２８において保留連背景を表示させて、表示画面２８の表示制御を開始する。また、ＣＰＵ５８１は、保留連背景に対応する各種照明の動作、可動役物３０の動作、スピーカ４８の音声出力等の各種制御を開始する。次いで、処理はサブ制御基板処理へ戻る。
【０１１７】
図１７に示すように、次いで、主制御基板４１から変動パターン指定コマンドを受信したか否かが判断される（Ｓ２３１）。変動パターン指定コマンドを受信していない場合（Ｓ２３１：ＮＯ）、処理はＳ２４１の判断へ移行する。変動パターン指定コマンドを受信した場合（Ｓ２３１：ＹＥＳ）、表示画面２８に切替背景が表示されているか否かが判断される（Ｓ２３２）。切替背景が表示されていない場合（Ｓ２３２：ＮＯ）、処理はＳ２３４へ移行する。
【０１１８】
切替背景が表示されている場合（Ｓ２３２：ＹＥＳ）、表示画面２８において表示中の切替背景から通常背景に切り替えて表示される（Ｓ２３３）。この処理は、ＣＰＵ５８１が、通常背景を表示画面２８に表示するためのコマンドを、演出制御基板４３へ送信することによって行われる。演出制御基板４３のＣＰＵ４３１は、サブ制御基板５８から受信するコマンドに従って、表示画面２８において切替背景から通常背景に切り替えて表示させて、表示画面２８の表示制御を開始する。また、ＣＰＵ５８１は、通常背景に対応する各種照明の動作、可動役物３０の動作、スピーカ４８の音声出力等の各種制御を開始する。
【０１１９】
次いで、指定されている変動パターンが第一変動パターンであるか否かが判断される（Ｓ２３４）。第一変動パターンの場合（Ｓ２３４：ＹＥＳ）、処理はＳ２３６へ移行する。第一変動パターンでない場合（Ｓ２３４：ＮＯ）、ＲＡＭ５８２に記憶されている第二保留球数が「１」減算される（Ｓ２３５）。次いで、指定されている変動パターンに応じて、報知演出の実行が開始される（Ｓ２３６）。この処理は、ＣＰＵ５８１が、変動パターンに基づいた報知演出を実行するためのコマンドを、演出制御基板４３へ送信することによって行われる。演出制御基板４３のＣＰＵ４３１は、サブ制御基板５８から受信するコマンドに従って、表示画面２８において演出図柄を変動表示させて、表示画面２８の表示制御を開始する。また、ＣＰＵ５８１は、変動パターンに基づいて、報知演出に対応する各種照明の動作、可動役物３０の動作、スピーカ４８の音声出力等の各種制御を開始する。処理はＳ２４１の判断へ移行する。
【０１２０】
次いで、主制御基板４１から特別図柄停止コマンドを受信したか否かが判断される（Ｓ２４１）。特別図柄停止コマンドを受信していない場合（Ｓ２４１：ＮＯ）、処理はＳ２０１の判断へ戻る。特別図柄停止コマンドを受信した場合（Ｓ２４１：ＹＥＳ）、変動中の演出図柄が確定表示され、実行中の報知演出が終了する（Ｓ２４２）。この処理は、ＣＰＵ５８１が、大当たり判定の結果を示す演出図柄の組合せを確定表示させ、報知演出を終了するためのコマンドを、演出制御基板４３へ送信することによって行われる。演出制御基板４３のＣＰＵ４３１は、サブ制御基板５８から受信するコマンドに従って、表示画面２８において大当たり判定の結果を示す組合せで、演出図柄を確定表示させ、表示画面２８の表示制御を終了する。また、ＣＰＵ５８１は、報知演出に対応する各種照明の動作、可動役物３０の動作、スピーカ４８の音声出力等の各種制御を終了する。次いで、第二背景処理が実行される（Ｓ２４３）。第二背景処理では、残り保留連回数に応じて、保留連背景から切替背景に切り替える処理が行われる。その後、処理はＳ２０１の判断へ戻る。
【０１２１】
図１９を参照して、第一実施形態における第二背景処理（Ｓ２４３、図１７参照）について詳細に説明する。第二背景処理が開始されると、まず、表示画面２８に保留連背景が表示されているか否かが判断される（Ｓ３３１）。保留連背景が表示されていない場合（Ｓ３３１：ＮＯ）、処理はサブ制御基板処理（図１７参照）へ戻る。保留連背景が表示されている場合（Ｓ３３１：ＹＥＳ）、残り保留連回数（保留連回数カウンタの値）が「１」減算される（Ｓ３３２）。次いで、保留連回数カウンタの値によって、残り保留連回数が「０」であるか否かが判断される（Ｓ３３３）。残り保留連回数が「０」でない場合（Ｓ３３３：ＮＯ）、残り保留連回数が「０」になるまで保留連背景が継続して表示されるので、処理はサブ制御基板処理へ戻る。
【０１２２】
残り保留連回数が「０」となった場合（Ｓ３３３：ＹＥＳ）、表示画面２８において表示中の保留連背景から切替背景に切り替えて表示される（Ｓ３３４）。この処理は、ＣＰＵ５８１が、切替背景を表示画面２８に表示するためのコマンドを、演出制御基板４３へ送信することによって行われる。演出制御基板４３のＣＰＵ４３１は、サブ制御基板５８から受信するコマンドに従って、表示画面２８において保留連背景から切替背景に切り替えて表示させて、表示画面２８の表示制御を開始する。また、ＣＰＵ５８１は、切替背景に対応する各種照明の動作、可動役物３０の動作、スピーカ４８の音声出力等の各種制御を開始する。これにより、時短無し大当たり遊技の終了時における第二保留球数分の報知演出が実行された場合、または保留連回数の報知演出が実行された場合に、保留連背景の表示が終了する。次いで、処理はサブ制御基板処理へ戻る。
【０１２３】
図２０から図２２を参照して、本発明の第二実施形態について説明する。第一実施形態では、サブ制御基板処理において、時短無し大当たり遊技が終了した場合、大当たり遊技の終了時に第二保留球数が特定される。これに対し、第二実施形態では、サブ制御基板処理において、時短無し大当たり遊技の終了後、報知演出が終了する毎に第二保留球数が特定される点が第一実施形態とは異なる。具体的には、第二実施形態に係るパチンコ機１は、第一背景処理の一部および第二背景処理の一部が、第一実施形態のパチンコ機１と異なるのみである。その他の処理、機械的構成、電気的構成等は、第一実施形態と第二実施形態で共通する。従って、共通する構成および処理については同一の符号またはステップ番号を付し、説明を省略または簡略化する。
【０１２４】
図２０を参照して、第二実施形態における特殊図柄変動および保留連背景について一例を説明する。なお、第二実施形態における特殊図柄変動の実行態様は、第一実施形態と同様なので、説明を簡略化する。図２０は、一例として、時短無し大当たり遊技の終了時における第二保留球数が２であって、２回目の特殊図柄変動の終了時までに第二始動口１５に遊技球が入賞し、３回目の特殊図柄変動の終了時に特定状態となる場合を示す。大当たり遊技中に取得されて第二保留乱数として記憶されている２つの第二乱数の種別および２回目の特殊図柄変動中に取得されて第二保留乱数として記憶されている第二乱数の種別はいずれも通常第二乱数なので、３つの第二保留乱数について第二大当たり判定が行われ、第二大当たり判定の結果がはずれであった場合、それぞれ、特殊はずれパターンＡの変動パターンが決定される。すなわち、特殊はずれパターンＡに基づいて、３回連続で変動時間１秒の特殊図柄変動が行われる。その後、特定状態となり、第二始動口１５に遊技球が入賞すると、第二乱数が取得される。
【０１２５】
特定状態において取得された第二乱数の種別は特定第二乱数である。従って、パチンコ機１では、この特定第二乱数について第二大当たり判定が行われ、第二大当たり判定の結果がはずれであった場合、特殊変動パターンＢの変動パターンが決定される。すなわち、特殊はずれパターンＢに基づいて、変動時間１２秒（第三変動時間）の特殊図柄変動が行われる。次いで、大当たり判定が行われ、大当たり判定の結果がはずれであると、例えば最も決定されやすい非リーチの変動パターンが決定される。すなわち、保留球数が「０」のときの非リーチの変動パターンに基づいて、変動時間１２秒（第二変動時間）の通常図柄変動が行われる。
【０１２６】
第二実施形態のパチンコ機１は、第一実施形態と同様に、時短無し大当たり遊技の終了後、最大で保留連回数の報知演出に亘って保留連背景を表示画面２８に表示する。第二実施形態では、時短無し大当たり遊技が終了した場合、その時点における第二保留球数が「０」であるか否かが特定される。時短無し大当たり遊技の終了時における第二保留球数が「０」の場合、保留連背景は表示されずに、通常背景が表示される。一方、時短無し大当たり遊技の終了時における第二保留球数が「０」でなければ、保留連背景の表示が開始される。第二実施形態では、保留連回数の報知演出が終了した場合、または報知演出終了時における第二保留球数が「０」になった場合、保留連背景の表示が終了する。
【０１２７】
詳細には、時短無し大当たり遊技の終了後、保留連回数の報知演出が実行されるまでの間、報知演出が終了する毎に、その時点における第二保留球数が「０」であるか否かが特定される。特定された第二保留球数が「０」の場合、保留連背景の表示が終了する。特定された第二保留球数が「０」でなければ、保留連背景の表示が継続される。その後、報知演出の終了時における第二保留球数が「０」になるか、保留連回数の報知演出の実行が終了すると、保留連背景の表示が終了する。第二実施形態では、第一実施形態と同様に、保留連背景の表示が終了すると、切替背景を介して通常背景に切り替えられる。
【０１２８】
図２０の例では、時短無し大当たり遊技の終了時における第二保留球数は「２」であり、「０」でない。この場合、時短無し大当たり遊技の終了後、保留連背景の表示が開始される。１回目の報知演出の終了時における第二保留球数は「１」であり、「０」でない。よって、保留連背景の表示は２回目の報知演出まで継続される。また、２回目の報知演出の実行開始直後における第二保留球数は「０」であるが、２回目の報知演出の実行中に第二始動口１５に遊技球が入賞しており、第二保留球数が「１」増えているので、２回目の報知演出の終了時における第二保留球数は「１」であり、「０」ではない。よって、保留連背景の表示は３回目の報知演出まで継続される。３回目の報知演出の終了時における第二保留球数は「０」である。よって、保留連背景の表示が終了し、切替背景に切り替えられる。結果として、３回の特殊図柄変動に同期して行われる報知演出に亘って、保留連背景が表示される。その後、４回目の報知演出が実行されると、切替背景から通常背景に切り替えられて表示される。このように、パチンコ機１は、報知演出が終了する毎にその時点における第二保留球数が「０」であるか否かを特定し、「０」である場合に保留連背景の表示を終了することで、保留連背景の表示が間延びすることを抑制できる。従って、パチンコ機１は、遊技者に与える保留連背景の表示の間延びによる違和感を抑制できる。
【０１２９】
図２１を参照して、第二実施形態における第一背景処理について説明する。第二実施形態の第一背景処理は、Ｓ３１１、Ｓ３１３が実行されない点が第一実施形態の第一背景処理と異なる。すなわち、第二保留球数が「１」以上の場合（Ｓ３０３：ＮＯ）、保留連回数カウンタに保留連回数「４」がセットされる（Ｓ３１２）。次いで、表示画面２８において保留連背景の表示が開始され（Ｓ３１４）、処理はサブ制御基板処理（図１７参照）へ戻る。
【０１３０】
図２２を参照して、第二実施形態における第二背景処理について説明する。第二実施形態の第二背景処理は、Ｓ３３５、Ｓ３３６が実行される点が第一実施形態の第二背景処理と異なる。すなわち、残り保留連回数が「０」でない場合（Ｓ３３３：ＮＯ）、Ｓ２０２、Ｓ２３５（図１７参照）で計数されてＲＡＭ５８２に記憶されている第二保留球数が特定される（Ｓ３３５）。次いで、特定した第二保留球数が「０」であるか否かが判断される（Ｓ３３６）。第二保留球数が「０」である場合（Ｓ３３６：ＹＥＳ）、表示画面２８において表示中の保留連背景から切替背景に切り替えて表示される（Ｓ３３４）。処理はサブ制御基板処理（図１７参照）へ戻る。第二保留球数が「０」でない場合（Ｓ３３６：ＮＯ）、保留連背景が継続して表示されるので、処理はサブ制御基板処理へ戻る。
【０１３１】
以上説明したように、時短無し大当たり遊技の終了後、保留連回数の報知演出が実行されるまでの間、第二保留球数が「０」にならなければ、保留連回数の報知演出が実行される間に亘って連続して保留連背景の表示が実行される。一方、保留連背景の表示中には報知演出が終了する毎に第二保留球数が「０」であるか否かが判断され、第二保留球数が「０」であると、実行中の保留連背景の表示が終了される。すなわち、次の報知演出を実行するための第二保留乱数がない場合には、保留連背景の表示が終了される。これにより、その後に実行される報知演出に亘って連続して保留連背景の表示が行われることが抑制され、保留連背景が間延びすることが抑制される。従って、パチンコ機１は、遊技者に与える保留連背景の間延びによる違和感を抑制できる。
【０１３２】
また、パチンコ機１は、時短無し大当たり遊技の終了時における第二保留球数が「０」であれば、保留連背景の表示を実行しない。仮に、時短無し大当たり遊技の終了時における第二保留球数が「０」の場合に、保留連背景の表示が実行された後にＳ３３４によって終了されるとなると、パチンコ機１は、例えば保留連背景の表示が開始後すぐに終了してしまうことによる違和感を遊技者に与える可能性がある。パチンコ機１は、時短無し大当たり遊技の終了時における第二保留球数が０の場合、保留連背景の表示を実行しないので、時短無し大当たり遊技の終了時における第二保留球数が「０」の場合において保留連背景が表示されることによる違和感を抑制できる。
【０１３３】
パチンコ機１は、第二大当たり判定の結果が当たりであることが報知演出によって報知された場合に、遊技者にとって有利な大当たり遊技を実行する遊技制御手段を備える。パチンコ機１は、通常の遊技状態である非時短状態、および第二大当たり判定の実行頻度が非時短状態よりも高い遊技状態である時短状態のいずれか一方を大当たり遊技の終了後に生起する生起手段を備える。特定条件は、遊技制御手段による大当たり遊技の終了、および生起手段による非時短状態の生起である。この場合、大当たり遊技の終了後、非時短状態が生起されると、保留連背景の表示が実行される。非時短状態では時短状態に比べて第二大当たり判定の実行頻度が低いので、大当たり遊技の終了後に非時短状態が生起された場合、時短状態が生起された場合に比べ、遊技者の興趣が低下する可能性がある。パチンコ機１は、大当たり遊技の終了後、非時短状態が生起された場合に保留連背景の表示を実行するので、大当たり遊技の終了後に非時短状態が生起されたとしても、遊技者の興趣の低下を抑制できる。
【０１３４】
パチンコ機１は、第二特別図柄を変動させる第二図柄変動を実行した後に、第二大当たり判定の結果を示す第二特別図柄を確定表示させる表示制御手段を備える。パチンコ機１は、特定条件の成立後、表示制御手段によって実行される特殊変動回数の第二図柄変動である特殊図柄変動において、第一決定条件である特殊変動パターンテーブルを参照して変動時間を決定する第一決定手段を備える。パチンコ機１は、特殊変動回数の特殊図柄変動の後に実行される図柄変動において第二決定条件である通常変動パターンテーブルを参照して変動時間を決定する第二決定手段を備える。第二大当たり判定の結果が当たりでない場合において、第一決定手段によって決定される変動時間の平均時間は、第二決定手段によって決定される変動時間の平均時間よりも短い。この場合、保留連背景は、特殊図柄変動において実行されることとなる。パチンコ機１は、特殊図柄変動における変動時間の平均時間を短くすることで、スピーディーな連続演出を実行できる。
【０１３５】
なお、上記第二実施形態において、第二始動口１５が本発明の「始動領域」に相当する。第二乱数が本発明の「所定情報」に相当する。図１０のＳ３３を実行するＣＰＵ５１が本発明の「取得手段」に相当する。図１３のＳ８５を実行するＣＰＵ５１が本発明の「判定手段」に相当する。図１７のＳ３２６を実行するＣＰＵ５８１が本発明の「第一演出制御手段」に相当する。第二保留乱数が本発明の「保留情報」に相当する。第二保留球数が本発明の「保留球数」に相当する。最大第二保留球数が本発明の「最大保留球数」に相当する。ＲＡＭ５２の第二大当たり情報記憶エリアおよび判定エリアが本発明の「記憶手段」に相当する。保留連回数が本発明の「所定回数」に相当する。保留連背景が本発明の「連続演出」に相当する。図２１のＳ３１４を実行するＣＰＵ５８１が本発明の「第二演出制御手段」に相当する。図２２のＳ３３６を実行するＣＰＵ５８１が本発明の「第一判断手段」に相当する。図２２のＳ３３６で第二保留球数が「０」であると判断された場合に、Ｓ３３４で保留連背景の表示を終了するＣＰＵ５８１が本発明の「演出終了手段」に相当する。図２１のＳ３０３を実行するＣＰＵ５８１が本発明の「第二判断手段」に相当する。Ｓ３０４を実行するＣＰＵ５８１が本発明の「禁止手段」に相当する。
【０１３６】
本発明は、上記第一実施形態または第二実施形態に限定されるものではなく、本発明の趣旨を逸脱しない範囲内において種々の変更が可能であることは勿論である。以下では、第一実施形態および第二実施形態を総称する場合、またはいずれかを特定しない場合、「実施形態」という。
【０１３７】
上記実施形態では、第二大当たり判定は第一大当たり判定よりも優先される。これに対し、第一大当たり判定が第二大当たりよりも優先されてもよい。この場合、例えば大当たり遊技の終了後、所定回数の第一図柄変動において、特殊変動パターンテーブルが参照されてもよい。また、パチンコ機１は、一方の特別図柄の変動中に他方の特別図柄が変動可能ないわゆる同時変動機であってもよい。また、特別図柄は、第一特別図柄および第二特別図柄のいずれか一方のみでもよい。さらには、１回の普通当たり遊技を契機として複数回の普通当たり遊技が連動して行われる、所謂一般電役タイプと呼ばれる遊技機等、特別図柄を用いない他の遊技機にも本発明は適用できる。
【０１３８】
また、同時変動機に本発明を適用する場合、第一特別図柄の変動中にも第二特別図柄は変動できるので、特定状態は、大当たり遊技中でなく、第二大当たり情報記憶エリアに第二保留乱数が記憶されておらず（すなわち、第二保留球数が０の場合）、且つ第二図柄変動の実行中でない状態としてもよい。
【０１３９】
特殊変動回数および保留連回数は、４回に限定されず、３回以下でもよいし、５回以上でもよい。特殊変動回数および保留連回数は、最大第二保留球数未満であってもよい。この場合、パチンコ機１は、特殊変動回数の特図柄変動が実行されるまでに特定状態となることを抑制でき、保留連回数の報知演出が実行されるまでに第二保留球が０になることを抑制できる。また、特殊変動回数と保留連回数とは互いに異なる回数であってもよい。特殊変動回数は、最大第二保留球数を超えてもよい。この場合、パチンコ機１は、より多くの回数の特殊図柄変動を実行できる。上記第二実施形態において、保留連回数は、最大第二保留球数を超えてもよい。この場合パチンコ機１は、より多くの回数の報知演出に亘って保留連背景を表示できる。
【０１４０】
上記実施形態において特定条件は、時短無し大当たり遊技の終了であるが、これに限定されない。特定条件は、例えば時短有り大当たりに基づく大当たり遊技であってもよいし、転落抽選に当選して確変状態から非確変状態に移行することであってもよいし、時短状態から非時短状態へ移行することであってもよい。特定条件は、遊技状態が移行することであることが好ましい。
【０１４１】
上記実施形態では、特定第二乱数は、第二大当たり情報記憶エリアを介さず、判定エリアに直接記憶されるが、通常第二乱数と同様、第二大当たり情報記憶エリアを介して判定エリアに記憶されてもよい。
【０１４２】
上記実施形態では、保留連背景から切替背景を介して通常背景に切り替えられているが、保留連背景から通常背景に直接切り替えられてもよい。すなわち、Ｓ３３４において、保留連背景から通常背景に切り替えられてもよい。
【０１４３】
上記実施形態では、大当たり判定が行われ、変動パターンが決定された場合に、ＲＡＭ５２の判定エリアから乱数が消去される（Ｓ１０５）が、判定エリアから乱数が消去されるタイミングは、上記実施形態に限定されない。例えば、停止表示時間の経過後、判定エリアから乱数が消去されてもよい。
【０１４４】
上記実施形態では、大当たり遊技終了コマンドに時短情報を付加しているが、時短情報の代わりに、大当たり種別と大当たり判定時の時短状態を示す情報を付加してもよい。Ｓ３０１では、大当たり種別と大当たり判定の時短状態を示す情報に基づいて、大当たり遊技の終了後に時短状態が生起されるか否かを判断してもよい。また、大当たり遊技開始コマンドに時短状態等を付加してもよい。この場合、Ｓ２１１で大当たり遊技開始コマンドが受信された場合、大当たり遊技開始コマンドに付加された時短情報に基づいて、大当たり遊技の終了後に時短状態が生起されるか否かを判断してもよい。大当たり遊技の終了後に時短状態が生起されると判断した場合、フラグを立てて、Ｓ３０１において、当該フラグの状態によって、時短状態が生起されるか否かを判断してもよい。
【０１４５】
上記実施形態では、保留連背景の表示は報知演出の終了時に終了されるが、保留連背景の表示が終了するタイミングは上記実施形態に限定されない。例えば、保留連背景の表示を終了する条件の成立後、報知演出が開始されるタイミングで保留連背景の表示を終了してもよい。
【０１４６】
上記第二実施形態では、サブ制御基板処理において、保留連背景が表示されている場合には報知演出の終了時に第二保留球数が「０」であるか否かが判断される。これに対して、保留連背景が表示されている場合には例えば報知演出の開始時に第二保留球数が「０」であるか否かが判断されてもよい。
【０１４７】
上記実施形態では、特殊はずれパターンＢの変動時間（第三平均時間）は、第二変動時間のうち、第二保留球数が「０」のときに最も決定されやすい非リーチの変動時間と等しいが、等しくなくてもよい。第三平均時間は、例えば第一平均時間よりも長く、且つ第二平均時間よりも短くてもよい。また、第三平均時間は、第二平均時間と等しくてもよい。また、第一平均時間は第二平均時間よりも短いが、第二平均時間よりも長くてもよい。この場合においても、第三平均時間と第二平均時間との時間差が、第三平均時間と第一平均時間との時間差よりも小さくなるように、各変動時間が変動パターンテーブルに割り当てられる。この関係上、第一平均時間が第二平均時間よりも長い場合、第三平均時間は第一平均時間よりも短くなる。
【０１４８】
さらには、特許請求の範囲、明細書、および図面に記載される全ての要素は、個数を意識的に限定する明確な記載がない限り、物理的に単一であっても複数であっても構わないし、適宜配置の変更が行われても構わない。また、特許請求の範囲や明細書等で使用している要素名（要素に付けた名称）は、単に本件の記載のために便宜上付与したに過ぎないものであり、それによって特別な意味が生じることを特に意識したものではない。すなわち、要素名のみによって要素が何であるかが限定解釈されるものではない。例えば、「判定手段」は、ハード単体でも、ソフトを含んだものであっても構わない。さらには、全ての要素のうちの複数の要素を適宜一体的に構成するか、もしくは一つの要素を複数の要素に分けて構成するかは、特許請求の範囲等において特定していない限り、いずれも当業者であれば極めて容易に考えられる事項であるため、敢えて明細書等において全てのパターンを記載しなくてもいずれのパターンも想定範囲内であることから本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【符号の説明】
【０１４９】
１      パチンコ機
１５    第二始動口
４１    主制御基板
５１    ＣＰＵ
５２    ＲＡＭ
５３    ＲＯＭ
５８    サブ制御基板
５８１  ＣＰＵ
５８２  ＲＡＭ
５８３  ＲＯＭ
【図１】
2019000434.tif 000003
【図２】
2019000434.tif 000004
【図３】
2019000434.tif 000005
【図４】
2019000434.tif 000006
【図５】
2019000434.tif 000007
【図６】
2019000434.tif 000008
【図７】
2019000434.tif 000009
【図８】
2019000434.tif 000010
【図９】
2019000434.tif 000011
【図１０】
2019000434.tif 000012
【図１１】
2019000434.tif 000013
【図１２】
2019000434.tif 000014
【図１３】
2019000434.tif 000015
【図１４】
2019000434.tif 000016
【図１５】
2019000434.tif 000017
【図１６】
2019000434.tif 000018
【図１７】
2019000434.tif 000019
【図１８】
2019000434.tif 000020
【図１９】
2019000434.tif 000021
【図２０】
2019000434.tif 000022
【図２１】
2019000434.tif 000023
【図２２】
2019000434.tif 000024